(57)【特許請求の範囲】
【請求項１】
通信回線を介して試験提供者がシステム利用者に所定の試験を実施するオンライン試験システムであって、
システム利用者側に前記通信回線を介して所定の試験問題を示す情報を伝送する試験問題情報伝送手段と、前記システム利用者側から伝送された前記所定の試験問題に対する解答内容を示す情報に基づき当該解答内容を採点用紙にプリントする解答内容プリント手段と、前記解答内容に対する採点内容を前記採点用紙に書き込む採点内容書き込み手段と、前記採点用紙に書き込まれた前記採点内容を示す情報を取得する採点情報取得手段と、取得した前記採点内容を示す情報を前記システム利用者側に前記通信回線を介して伝送する採点情報伝送手段と、を前記試験提供者側に備え、
前記試験提供者側から前記通信回線を介して伝送された前記所定の試験問題を示す情報に基づき当該所定の試験問題を解答用紙にプリントする試験問題プリント手段と、前記解答内容を前記解答用紙に書き込む解答内容書き込み手段と、前記解答用紙に書き込まれた前記解答内容を示す情報を取得する解答情報取得手段と、取得した前記解答内容を示す情報を前記通信回線を介して前記試験提供者側に伝送する解答情報伝送手段と、前記試験提供者側から前記通信回線を介して伝送された前記採点内容を示す情報に基づき前記解答用紙に採点内容をプリントする採点内容プリント手段と、を前記システム利用者側に備え、
前記採点用紙及び前記解答用紙は、各用紙表面に、当該用紙表面の絶対位置を示し、且つ前記採点用紙又は前記解答用紙となる各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとり、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴とするオンライン試験システム。
【請求項２】
前記採点内容書き込み手段及び前記解答内容書き込み手段は、ペン型の装置であって、
前記採点情報取得手段は、前記採点内容として、前記採点用紙表面に設けられた前記ユニークパターン全体のうち、前記採点内容書き込み手段による前記採点内容書き込み時のペン先近傍のユニークパターン部分を読みとり、
前記解答情報取得手段は、前記解答内容として、前記解答用紙表面に設けられた前記ユニークパターン全体のうち、前記解答内容書き込み手段による前記解答内容書き込み時のペン先近傍のユニークパターン部分を読みとることを特徴とする請求項１記載のオンライン試験システム。
【請求項３】
前記採点情報取得手段は、前記採点内容を示す情報を光学的に読みとるためのカメラ部を備え、
前記解答情報取得手段は、前記解答内容を示す情報を光学的に読みとるためのカメラ部を備えることを特徴とする請求項１又は請求項２記載のオンライン試験システム。
【請求項４】
前記システム利用者を認証するシステム利用者認証手段を、更に前記試験提供者側に備えたことを特徴とする請求項１乃至請求項３のいずれか１項に記載のオンライン試験システム。
【請求項５】
前記システム利用者側は、当該システム利用者に対応付けられた固有情報を備えており、前記システム利用者認証手段は、前記固有情報に基づき前記システム利用者を認証することを特徴とする請求項４記載のオンライン試験システム。
【請求項６】
前記解答内容を示す情報には前記システム利用者の筆跡情報が含まれていると共に、前記試験提供者側は、前記システム利用者の筆跡特徴を示す筆跡鑑定用データを有しており、
前記システム利用者認証手段は、前記筆跡情報及び前記筆跡鑑定用データに基づき前記システム利用者の筆跡鑑定を行う筆跡鑑定部を備え、当該筆跡鑑定部の鑑定結果に基づき前記システム利用者を認証することを特徴とする請求項４又は請求項５記載のオンライン試験システム。
【請求項７】
通信回線を介して試験提供者側がシステム利用者に所定の試験を実施するオンライン試験システムであって、
前記試験提供者側設備として、第１の端末装置と、第１の筆記装置と、第１のプリンタ装置と、を備え、
前記第１の端末装置は、前記システム利用者側設備に前記通信回線を介して所定の試験問題を示す情報を伝送する試験問題情報伝送手段と、前記システム利用者側設備から前記通信回線を介して前記所定の試験問題に対する解答内容を示す情報を受信する解答情報受信手段と、受信した前記解答内容を示す情報を前記第１のプリンタ装置に伝送する第１の伝送手段と、採点用紙に書き込まれた前記解答内容に対する採点内容を示す情報を前記システム利用者側設備に前記通信回線を介して伝送する採点情報伝送手段と、を備え、
前記第１の筆記装置は、前記解答内容に対する採点内容を前記採点用紙に書き込む第１の筆記手段と、前記採点用紙に書き込まれた前記採点内容を示す情報を取得する採点情報取得手段と、取得した前記採点内容を示す情報を前記第１の端末装置に伝送する第１の情報伝送手段と、を備え、
前記第１のプリンタ装置は、前記解答内容を示す情報を受信する第１の情報受信手段と、受信した前記解答内容を示す情報に基づき前記採点用紙に解答内容をプリントする解答内容プリント手段と、を備え、
前記システム利用者側設備として、第２の端末装置と、第２の筆記装置と、第２のプリンタ装置と、を備え、
前記第２の端末装置は、前記試験提供者側設備から前記通信回線を介して伝送された前記試験問題を示す情報を受信する試験問題情報受信手段と、前記解答内容を示す情報を前記通信回線を介して前記試験提供者側設備に伝送する解答情報伝送手段と、前記試験提供者側設備から伝送された前記採点内容を示す情報を受信する採点情報受信手段と、受信した前記試験問題を示す情報及び受信した前記採点内容を示す情報を前記第２のプリンタ装置に伝送する第２の伝送手段と、を備え、
前記第２の筆記装置は、前記解答内容を解答用紙に書き込む第２の筆記手段と、前記解答用紙に書き込まれた前記解答内容を示す情報を取得する解答情報取得手段と、取得した前記解答内容を示す情報を前記第２の端末装置に伝送する第２の情報伝送手段と、を備え、
前記第２のプリンタ装置は、前記試験問題を示す情報及び前記採点内容を示す情報を受信する第２の情報受信手段と、前記試験問題を示す情報に基づき前記解答用紙に前記試験問題をプリントする試験問題プリント手段と、前記採点内容を示す情報に基づき前記解答用紙に前記採点内容をプリントする採点内容プリント手段と、を備え、
前記採点用紙及び前記解答用紙は、各用紙表面に、当該用紙表面の絶対位置を示し、且つ前記採点用紙又は前記解答用紙となる各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとり、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴とするオンライン試験システム。
【請求項８】
前記第１の筆記装置及び前記第２の筆記装置は、ペン型の装置であって、
前記採点情報取得手段は、前記採点内容として、前記採点用紙表面に設けられた前記ユニークパターン全体のうち、前記採点内容書き込み時の前記第１の筆記装置のペン先近傍のユニークパターン部分を読みとり、
前記解答情報取得手段は、前記解答内容として、前記解答用紙表面に設けられた前記ユニークパターン全体のうち、前記解答内容書き込み時の前記第２の筆記装置のペン先近傍のユニークパターン部分を読みとることを特徴とする請求項７記載のオンライン試験システム。
【請求項９】
前記採点情報取得手段は、前記採点内容を示す情報を読みとるためのカメラ部を備え、
前記解答情報取得手段は、前記解答内容を示す情報を読みとるためのカメラ部を備えることを特徴とする請求項７又は請求項８記載のオンライン試験システム。
【請求項１０】
前記第１の端末装置は、前記システム利用者を認証するシステム利用者認証部を、更に備えることを特徴とする請求項７乃至請求項９のいずれか１項に記載のオンライン試験システム。
【請求項１１】
前記第２の筆記装置は、自装置固有の情報である筆記装置固有情報を有しており、前記システム利用者認証手段は、前記筆記装置固有情報に基づき前記システム利用者を認証することを特徴とする請求項１０記載のオンライン試験システム。
【請求項１２】
前記解答内容を示す情報には前記システム利用者の筆跡情報が含まれていると共に、前記第１の端末装置は、前記システム利用者の筆跡特徴を示す筆跡鑑定用データを有しており、
前記システム利用者認証手段は、前記筆跡情報及び前記筆跡鑑定用データに基づき前記システム利用者の筆跡鑑定を行う筆跡鑑定部を備え、当該筆跡鑑定部の鑑定結果に基づき前記システム利用者を認証することを特徴とする請求項１０又は請求項１１記載のオンライン試験システム。
【請求項１３】
前記第２の端末装置は、自装置固有の情報である端末装置固有情報を有しており、前記システム利用者認証手段は、前記端末装置固有情報に基づき前記システム利用者を認証することを特徴とする請求項１０乃至請求項１２のいずれか１項に記載のオンライン試験システム。
【請求項１４】
前記第２の伝送手段は、前記第２の端末装置に対して着脱可能な装置であることを特徴とする請求項７乃至請求項１３のいずれか１項に記載のオンライン試験システム。
【請求項１５】
前記第２のプリンタ装置は、前記試験提供者から前記システム利用者に貸し出されることを特徴とする請求項７乃至請求項１５のいずれか１項に記載のオンライン試験システム。
【請求項１６】
前記第２の伝送手段は、前記試験提供者から前記システム利用者に貸し出されることを特徴とする請求項１４又は請求項１５記載のオンライン試験システム。
【請求項１７】
前記第２の端末装置は、前記試験提供者から前記システム利用者に貸し出されることを特徴とする請求項７乃至請求項１６のいずれか１項に記載のオンライン試験システム。
【請求項１８】
前記採点内容は、前記解答内容に対する添削内容を含むことを特徴とする請求項１乃至請求項１７のいずれか１項に記載のオンライン試験システム。
【請求項１９】
前記解答内容は、前記システム利用者個人の情報を含むことを特徴とする請求項１乃至請求項１８のいずれか１項に記載のオンライン試験システム。
【請求項２０】
前記所定の試験は、所定の学校の取り扱う試験であることを特徴とする請求項１乃至請求項１９のいずれか１項に記載のオンライン試験システム。
【請求項２１】
前記所定の試験は、所定の塾の取り扱う試験であることを特徴とする請求項１乃至請求項２０のいずれか１項に記載のオンライン試験システム。
【請求項２２】
前記所定の試験は、所定の企業の取り扱う試験であることを特徴とする請求項１乃至請求項２１のいずれか１項に記載のオンライン試験システム。
【請求項２３】
前記所定の試験は、所定の通信教育における教育科目の試験であることを特徴とする請求項１乃至請求項２２のいずれか１項に記載のオンライン試験システム。
【請求項２４】
請求項１記載のオンライン試験システムにおける試験提供者側設備であって、
システム利用者側に前記通信回線を介して所定の試験問題を示す情報を伝送する試験問題情報伝送手段と、前記システム利用者側から伝送された前記所定の試験問題に対する解答内容を示す情報に基づき当該解答内容を採点用紙にプリントする解答内容プリント手段と、前記解答内容に対する採点内容を前記採点用紙に書き込む採点内容書き込み手段と、前記採点用紙に書き込まれた前記採点内容を示す情報を取得する採点情報取得手段と、取得した前記採点内容を示す情報を前記システム利用者側に前記通信回線を介して伝送する採点情報伝送手段と、を備え、
前記採点用紙は、各用紙表面に、当該用紙表面の絶対位置を示し且つ各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとることを特徴とする試験提供者側設備。
【請求項２５】
前記システム利用者を認証するシステム利用者認証手段を、更に備えることを特徴とする請求項２４記載の試験提供者側設備。
【請求項２６】
請求項１記載のオンライン試験システムにおけるシステム利用者側設備であって、
前記試験提供者側から前記通信回線を介して伝送された前記所定の試験問題を示す情報に基づき当該所定の試験問題を解答用紙にプリントする試験問題プリント手段と、前記解答内容を前記解答用紙に書き込む解答内容書き込み手段と、前記解答用紙に書き込まれた前記解答内容を示す情報を取得する解答情報取得手段と、取得した前記解答内容を示す情報を前記通信回線を介して前記試験提供者側に伝送する解答情報伝送手段と、前記試験提供者側から前記通信回線を介して伝送された前記採点内容を示す情報に基づき前記解答用紙に採点内容をプリントする採点内容プリント手段と、を備え、
前記解答用紙は、各用紙表面に、当該用紙表面の絶対位置を示し且つ各用紙毎にそれぞれ異なるユニークパターンが設けられており、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴とするシステム利用者側設備。
【請求項２７】
請求項７記載のオンライン試験システムにおける試験提供者側設備であって、
第１の端末装置と、第１の筆記装置と、第１のプリンタ装置と、を備え、
前記第１の端末装置は、前記システム利用者側設備に前記通信回線を介して所定の試験問題を示す情報を伝送する試験問題情報伝送手段と、前記システム利用者側設備から前記通信回線を介して前記所定の試験問題に対する解答内容を示す情報を受信する解答情報受信手段と、受信した前記解答内容を示す情報を前記第１のプリンタ装置に伝送する第１の伝送手段と、採点用紙に書き込まれた前記解答内容に対する採点内容を示す情報を前記システム利用者側設備に前記通信回線を介して伝送する採点情報伝送手段と、を備え、
前記第１の筆記装置は、前記解答内容に対する採点内容を前記採点用紙に書き込む第１の筆記手段と、前記採点用紙に書き込まれた前記採点内容を示す情報を取得する採点情報取得手段と、取得した前記採点内容を示す情報を前記第１の端末装置に伝送する第１の情報伝送手段と、を備え、
前記第１のプリンタ装置は、前記解答内容を示す情報を受信する第１の情報受信手段と、受信した前記解答内容を示す情報に基づき前記採点用紙に解答内容をプリントする解答内容プリント手段と、を備え、
前記採点用紙は、各用紙表面に、当該用紙表面の絶対位置を示し且つ各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとることを特徴とする試験提供者側設備。
【請求項２８】
前記第１の端末装置は、前記システム利用者を認証するシステム利用者認証部を、更に備えることを特徴とする請求項２７記載の試験提供者側設備。
【請求項２９】
請求項７記載のオンライン試験システムにおけるシステム利用者側設備であって、
第２の端末装置と、第２の筆記装置と、第２のプリンタ装置と、を備え、
前記第２の端末装置は、前記試験提供者側設備から前記通信回線を介して伝送された前記試験問題を示す情報を受信する試験問題情報受信手段と、前記解答内容を示す情報を前記通信回線を介して前記試験提供者側設備に伝送する解答情報伝送手段と、前記試験提供者側設備から伝送された前記採点内容を示す情報を受信する採点情報受信手段と、受信した前記試験問題を示す情報及び受信した前記採点内容を示す情報を前記第２のプリンタ装置に伝送する第２の伝送手段と、を備え、
前記第２の筆記装置は、前記解答内容を前記解答用紙に書き込む第２の筆記手段と、前記解答用紙に書き込まれた前記解答内容を示す情報を取得する解答情報取得手段と、取得した前記解答内容を示す情報を前記第２の端末装置に伝送する第２の情報伝送手段と、を備え、
前記第２のプリンタ装置は、前記試験問題を示す情報及び前記採点内容を示す情報を受信する第２の情報受信手段と、前記試験問題を示す情報に基づき前記解答用紙に試験問題をプリントする試験問題プリント手段と、前記採点内容を示す情報に基づき前記解答用紙に前記採点内容をプリントする採点内容プリント手段と、を備え、
前記解答用紙は、各用紙表面に、当該用紙表面の絶対位置を示し且つ各用紙毎にそれぞれ異なるユニークパターンが設けられており、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴とするシステム利用者側設備。
【請求項３０】
請求項７記載のオンライン試験システムにおける第１の端末装置であって、
前記システム利用者側設備に前記通信回線を介して所定の試験問題を示す情報を伝送する試験問題情報伝送手段と、前記システム利用者側設備から前記通信回線を介して前記所定の試験問題に対する解答内容を示す情報を受信する解答情報受信手段と、受信した前記解答内容を示す情報を前記第１のプリンタ装置に伝送する第１の伝送手段と、採点用紙に書き込まれた前記解答内容に対する採点内容を示す情報を前記システム利用者側設備に前記通信回線を介して伝送する採点情報伝送手段と、を備えることを特徴とする第１の端末装置。
【請求項３１】
前記システム利用者を認証するシステム利用者認証部を、更に備えることを特徴とする請求項３０記載の第１の端末装置。
【請求項３２】
前記システム利用者認証部は、前記第２の端末装置の有する端末装置固有情報に基づき前記システム利用者を認証することを特徴とする請求項３１記載の第１の端末装置。
【請求項３３】
前記システム利用者認証部は、第２の筆記装置の有する第２の固有情報に基づき前記システム利用者を認証することを特徴とする請求項３１又は請求項３２記載の第１の端末装置。
【請求項３４】
前記解答内容を示す情報には前記システム利用者の筆跡情報が含まれており、前記システム利用者認証手段は、前記筆跡情報に基づき筆跡鑑定を行う筆跡鑑定部を備え、当該筆跡鑑定部の鑑定結果に基づき前記システム利用者を認証することを特徴とする請求項３１乃至請求項３３のいずれか１項に記載の第１の端末装置。
【請求項３５】
請求項７記載のオンライン試験システムにおける第１の筆記装置であって、
前記解答内容に対する採点内容を前記採点用紙に書き込む第１の筆記手段と、前記採点用紙に書き込まれた前記採点内容を示す情報を取得する採点情報取得手段と、取得した前記採点内容を示す情報を前記第１の端末装置に伝送する第１の情報伝送手段と、を備え、
前記採点用紙は、各用紙表面に、当該用紙表面の絶対位置を示し且つ各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとることを特徴とする第１の筆記装置。
【請求項３６】
前記採点情報取得手段は、前記採点内容を示す情報を読みとるためのカメラ部を備えることを特徴とする請求項３５記載の第１の筆記装置。
【請求項３７】
請求項７記載のオンライン試験システムにおける第１のプリンタ装置であって、
前記解答内容を示す情報を受信する第１の情報受信手段と、受信した前記解答内容を示す情報に基づき前記採点用紙に解答内容をプリントする解答内容プリント手段と、を備えることを特徴とする第１のプリンタ装置。
【請求項３８】
請求項７記載のオンライン試験システムにおける採点用紙であって、
各用紙表面に、当該用紙表面の絶対位置を示し且つ各用紙毎にそれぞれ異なるユニークパターンが設けられていることを特徴とする採点用紙。
【請求項３９】
請求項７記載のオンライン試験システムにおける第２の端末装置であって、
前記試験提供者側設備から前記通信回線を介して伝送された前記試験問題を示す情報を受信する試験問題情報受信手段と、前記解答内容を示す情報を前記通信回線を介して前記試験提供者側設備に伝送する解答情報伝送手段と、前記試験提供者側設備から伝送された前記採点内容を示す情報を受信する採点情報受信手段と、受信した前記試験問題を示す情報及び受信した前記採点内容を示す情報を前記第２のプリンタ装置に伝送する第２の伝送手段と、を備えることを特徴とする第２の端末装置。
【請求項４０】
請求項７記載のオンライン試験システムにおける第２の端末装置であって、
前記試験提供者側設備から前記通信回線を介して伝送された前記試験問題を示す情報を受信する試験問題情報受信手段と、前記解答内容を示す情報を前記通信回線を介して前記試験提供者側設備に伝送する解答情報伝送手段と、前記試験提供者側設備から伝送された前記採点内容を示す情報を受信する採点情報受信手段と、受信した前記試験問題を示す情報及び受信した前記採点内容を示す情報を前記第２のプリンタ装置に伝送する第２の伝送手段と、を備えた携帯型端末であることを特徴とする第２の端末装置。
【請求項４１】
自装置固有の情報である端末装置固有情報を有することを特徴とする請求項３９又は請求項４０記載の第２の端末装置。
【請求項４２】
請求項７記載のオンライン試験システムにおける第２の筆記装置であって、
前記解答内容を前記解答用紙に書き込む第２の筆記手段と、前記解答用紙に書き込まれた前記解答内容を示す情報を取得する解答情報取得手段と、取得した前記解答内容を示す情報を前記第２の端末装置に伝送する第２の情報伝送手段と、を備え、
前記解答用紙は、各用紙表面に、当該用紙表面の絶対位置を示し且つ各用紙毎にそれぞれ異なるユニークパターンが設けられており、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴とする第２の筆記装置。
【請求項４３】
自装置固有の情報である筆記装置固有情報を有することを特徴とする請求項４２記載の第２の筆記装置。
【請求項４４】
前記解答情報取得手段は、前記解答内容を示す情報を読みとるためのカメラ部を備えることを特徴とする請求項４２又は請求項４３記載の第２の筆記装置。
【請求項４５】
請求項７記載のオンライン試験システムにおける第２のプリンタ装置であって、
前記試験問題を示す情報及び前記採点内容を示す情報を受信する第２の情報受信手段と、前記試験問題を示す情報に基づき前記解答用紙に試験問題をプリントする試験問題プリント手段と、前記採点内容を示す情報に基づき前記解答用紙に前記採点内容をプリントする採点内容プリント手段と、を備えることを特徴とする第２のプリンタ装置。
【請求項４６】
請求項７記載のオンライン試験システムにおける解答用紙であって、
各用紙表面に当該用紙表面の絶対位置を示す、前記解答用紙となる各用紙毎にそれぞれ異なるユニークパターンが設けられていることを特徴とする解答用紙。
【請求項４７】
請求項１記載のオンライン試験システムにおける試験提供者側の備える各手段を制御するための第１の試験システム制御用プログラムであって、
システム利用者側に前記通信回線を介して所定の試験問題を示す情報を伝送する試験問題情報伝送ステップと、前記システム利用者側から伝送された前記所定の試験問題に対する解答内容を示す情報に基づき前記解答内容を採点用紙にプリントする解答内容プリントステップと、前記採点用紙に書き込まれた前記採点内容を示す情報を取得する採点情報取得ステップと、取得した前記採点内容を示す情報を前記システム利用者側に前記通信回線を介して伝送する採点情報伝送ステップと、を備え、
前記採点用紙は、各用紙表面に、当該用紙表面の絶対位置を示し且つ各用紙毎にそれぞれ異なるユニークパターンが設けられており、
前記採点情報取得ステップにおいては、前記採点内容として、前記採点用紙表面に設けられた前記ユニークパターン全体のうち、前記採点内容書き込み手段による書き込み位置近傍のユニークパターン部分を読みとることを特徴とする第１の試験システム制御用プログラム。
【請求項４８】
前記システム利用者を認証するシステム利用者認証ステップを、更に備えることを特徴とする請求項４７記載の第１の試験システム制御用プログラム。
【請求項４９】
請求項１記載のオンライン試験システムにおけるシステム利用者側の備える各手段を制御するための第２の試験システム制御用プログラムであって、
前記試験提供者側から伝送された前記所定の試験問題を示す情報に基づき前記所定の試験問題を解答用紙にプリントする試験問題プリントステップと、前記解答用紙に書き込まれた前記解答内容を示す情報を取得する解答情報取得ステップと、取得した前記解答内容を示す情報を前記通信回線を介して前記試験提供者側設備に伝送する解答情報伝送ステップと、前記試験提供者側から伝送された前記採点内容を示す情報に基づき前記解答用紙に採点内容をプリントする採点内容プリントステップと、を備え、
前記解答用紙は、各用紙表面に、当該用紙表面の絶対位置を示し且つ各用紙毎にそれぞれ異なるユニークパターンが設けられており、
前記解答情報取得ステップにおいては、前記解答内容として、前記解答用紙表面に設けられた前記ユニークパターン全体のうち、前記解答内容書き込み手段による書き込み位置近傍のユニークパターン部分を読みとることを特徴とする第２の試験システム制御用プログラム。
【請求項５０】
請求項７記載のオンライン試験システムにおける前記第１の端末装置を制御するための第１の端末装置制御用プログラムであって、
前記システム利用者側設備に前記通信回線を介して所定の試験問題を示す情報を伝送する試験問題情報伝送ステップと、前記システム利用者側設備から伝送された前記所定の試験問題に対する解答内容を示す情報を受信する解答情報受信ステップと、受信した前記解答内容を示す情報を前記解答内容プリント装置に伝送する伝送ステップと、採点内容を示す情報を前記システム利用者側設備に前記通信回線を介して伝送する採点情報伝送ステップと、を備えることを特徴とする第１の端末装置制御用プログラム。
【請求項５１】
前記システム利用者を認証するシステム利用者認証ステップを、更に備えることを特徴とする請求項５０記載の第１の端末装置制御用プログラム。
【請求項５２】
請求項７記載のオンライン試験システムにおける前記第１の筆記装置を制御するための第１の筆記装置制御用プログラムであって、
前記採点用紙に書き込まれた前記採点内容を示す情報を取得する採点情報取得ステップと、取得した前記採点内容を示す情報を前記第１の端末装置に伝送する第１の情報伝送ステップと、を備え、
前記採点用紙は、各用紙表面に、当該用紙表面の絶対位置を示し且つ各用紙毎にそれぞれ異なるユニークパターンが設けられており、
前記採点情報取得ステップにおいては、前記採点内容として、前記採点用紙表面に設けられた前記ユニークパターン全体のうち、前記採点内容書き込み手段による書き込み位置近傍のユニークパターン部分を読みとることを特徴とする第１の筆記装置制御用プログラム。
【請求項５３】
請求項７記載のオンライン試験システムにおける前記第２の端末装置を制御するための第２の端末装置制御用プログラムであって、
前記試験提供者側設備から伝送された前記試験問題を示す情報を受信する試験問題情報受信ステップと、前記解答内容を示す情報を前記通信回線を介して前記試験提供者側設備に伝送する解答情報伝送ステップと、前記試験提供者側設備から伝送された前記採点内容を示す情報を受信する採点情報受信ステップと、受信した前記試験問題を示す情報及び受信した前記採点内容を示す情報を前記第２のプリンタ装置に伝送する第２の伝送ステップと、を備えることを特徴とする第２の端末装置制御用プログラム。
【請求項５４】
請求項７記載のオンライン試験システムにおける前記第２の筆記装置を制御するための第２の筆記装置制御用プログラムであって、
前記解答用紙に書き込まれた前記解答内容を示す情報を取得する解答情報取得ステップと、取得した前記解答内容を示す情報を前記第２の端末装置に伝送する第２の情報伝送ステップと、を備え、
前記解答用紙は、各用紙表面に、当該用紙表面の絶対位置を示し且つ各用紙毎にそれぞれ異なるユニークパターンが設けられており、
前記解答情報取得ステップにおいては、前記解答内容として、前記解答用紙表面に設けられた前記ユニークパターン全体のうち、前記解答内容書き込み手段による書き込み位置近傍のユニークパターン部分を読みとることを特徴とする第２の筆記装置制御用プログラム。
【発明の詳細な説明】
【０００１】
【発明の属する技術分野】
本発明は、インターネット等の通信回線を介して試験提供者がシステム利用者に所定の試験を実施するオンライン試験システムに関する。
【０００２】
【従来の技術】
従来、試験問題の書かれたテキストと専用の解答用紙とを郵送で利用者に送り、利用者によって解答の記入された解答用紙を郵送で送ってもらい、その解答に対する採点や指導内容等を記入し、再び利用者の元に郵送するといった流れで行われる通信教育の方法がある。
【０００３】
また、企業などのＷｅｂページ上で、就職希望者に向けた能力試験等の通信回線を介した試験が提供されている。試験を受けるには、インターネットに接続可能なＰＣ（Personal Computer）やＰＤＡ（Personal Digital Assistant）等の機器が必要であり、機器に付属のキーボードやマウス等の入力デバイスによって、画面上に表示されたチェックボックスや解答欄に、直接チェックや解答を入力することで試験の解答を行うことになる。
【０００４】
また、上記のような試験は、企業や学校等が独自に用意する場合の他、専門の業者が代行する場合もある。
【０００５】
【発明が解決しようとする課題】
しかしながら、上記従来の通信教育の方法では、採点をしてもらうために解答用紙を郵送するため郵送料がかかるといった問題と、郵送のため解答用紙を送ってから、採点されて戻ってくるまでに多くの時間がかかるといった問題がある。
また、上記したオンラインによる試験では、試験を実施する際に、実際に解答を行っている者が、受験者本人であるか否かを判断したり、カンニング等の不正行為を行っているか否かを判断したりすることは難しい。特に、論文等の記述式試験を行う場合は、受験者が、予め用意しておいた文章データを論文試験に用いたり、替え玉受験を行ったり等の不正をした場合に、それを発見することは困難である。また、試験の解答や採点結果などの試験に関する情報が、全て電子データとして管理されるため、悪意のある者によって情報の改ざん等が行われたりする恐れがある。
【０００６】
また、ＰＣやＰＤＡ等では、付属の入力デバイスによって文字データを入力するため、書かれた解答や文章のデータを見ても誰が書いたのかを判別するすべが無い。
そこで、本発明は、このような従来の技術の有する未解決の課題に着目してなされたものであって、通信回線を介して試験提供者がシステム利用者に所定の試験を実施するのに好適な、オンライン試験システム、並びに、オンライン試験システムに用いる試験提供者側設備、システム利用者側設備、端末装置、筆記装置、プリンタ装置、採点用紙、解答用紙、試験システム制御用プログラム、端末装置制御用プログラム、及び、筆記装置制御用プログラムを提供することを目的としている。
【０００７】
上記目的を達成するために、本発明に係る請求項１記載のオンライン試験システムは、通信回線を介して試験提供者がシステム利用者に所定の試験を実施するオンライン試験システムであって、
システム利用者側に前記通信回線を介して所定の試験問題を示す情報を伝送する試験問題情報伝送手段と、前記システム利用者側から伝送された前記所定の試験問題に対する解答内容を示す情報に基づき当該解答内容を採点用紙にプリントする解答内容プリント手段と、前記解答内容に対する採点内容を前記採点用紙に書き込む採点内容書き込み手段と、前記採点用紙に書き込まれた前記採点内容を示す情報を取得する採点情報取得手段と、取得した前記採点内容を示す情報を前記システム利用者側に前記通信回線を介して伝送する採点情報伝送手段と、を前記試験提供者側に備え、
前記試験提供者側から前記通信回線を介して伝送された前記所定の試験問題を示す情報に基づき当該所定の試験問題を解答用紙にプリントする試験問題プリント手段と、前記解答内容を前記解答用紙に書き込む解答内容書き込み手段と、前記解答用紙に書き込まれた前記解答内容を示す情報を取得する解答情報取得手段と、取得した前記解答内容を示す情報を前記通信回線を介して前記試験提供者側に伝送する解答情報伝送手段と、前記試験提供者側から前記通信回線を介して伝送された前記採点内容を示す情報に基づき前記解答用紙に採点内容をプリントする採点内容プリント手段と、を前記システム利用者側に備え、
前記採点用紙及び前記解答用紙は、各用紙表面に、当該用紙表面の絶対位置を示し、且つ前記採点用紙又は前記解答用紙となる各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとり、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴とするオンライン試験システム。
【０００８】
このような構成であれば、試験提供者側は、試験情報伝送手段によって、所定の試験問題を通信回線を介してシステム利用者側に伝送し、解答内容プリント手段によって、システム利用者側から伝送された試験問題に対する解答内容を示す情報に基づき採点用紙に解答内容をプリントし、採点内容書き込み手段によって、解答内容に対する採点内容を採点用紙に書き込み、採点情報取得手段によって、採点用紙に書き込まれた採点内容を示す情報を取得し、採点内容伝送手段によって、取得した採点内容を示す情報を通信回線を介してシステム利用者側に伝送することが可能であり、
システム利用者側は、試験問題プリント手段によって、試験提供者側から通信回線を介して伝送された所定の試験問題を示す情報に基づき解答用紙に試験問題をプリントし、解答内容書き込み手段によって、解答用紙にプリントされた試験問題に対する解答内容を書き込み、解答情報取得手段によって、解答用紙に書き込まれた解答内容を示す情報を取得し、解答情報伝送手段によって、取得した解答内容を示す情報を通信回線を介して試験提供者側に伝送し、試験提供者側から伝送された採点内容を示す情報に基づき解答用紙に採点内容をプリントすることが可能である。
また、採点用紙及び解答用紙は、各用紙表面に、当該用紙表面の絶対位置を示し、且つ採点用紙又は解答用紙となる各用紙毎にそれぞれ異なるユニークパターンが設けられているので、採点情報取得手段は、採点内容として、採点用紙表面に設けられたユニークパターン全体のうち、採点内容書き込み手段による書き込み位置近傍のユニークパターン部分を読みとることが可能であり、解答情報取得手段は、解答内容として、解答用紙表面に設けられたユニークパターン全体のうち、解答内容書き込み手段による書き込み位置近傍のユニークパターン部分を読みとることが可能である。
【０００９】
従って、通信回線を介して試験提供者側はシステム利用者側に試験を実施することが可能であり、試験地が遠方な人や、体が不自由な人が試験を手軽に受けることが可能となるので便利である。そして、試験の解答内容や採点内容は電子データ化されるので、試験結果の集計作業などに役立つ。更に、採点内容や解答内容は、上記各用紙に直接書き込むので、その用紙は書類として残ることになり、後の証拠書類などに利用可能である。なお更に、解答用紙を郵送する以外、解答内容及び採点内容などは、電子データとして通信回線を介して授受されるので、郵送費の低減となる。また、採点用紙に書き込まれた採点内容の正確な書き込み位置及び解答用紙に書き込まれた解答内容の正確な書き込み位置を、それぞれ取得することができることにより、これらの位置情報によって、各用紙の対応する位置にそれぞれの書き込み内容を正確にプリントすることが可能となる。つまり、解答用紙には、採点用紙における採点内容の書き込み位置と同じ位置に、採点内容がプリントされ、一方、採点用紙には、解答用紙における解答内容の書き込み位置と同じ位置に、解答内容がプリントされる。解答用紙に試験問題もプリントされるような場合は、最終的に、システム利用者の有する解答用紙には試験問題と、当該試験問題に対する解答内容と、当該解答内容に対する採点内容と、の３つの内容が全て記載された状態となる。
【００１０】
ここで、通信回線とは、電話回線等を利用した広域のネットワーク回線であるインターネットや、学校内ＬＡＮや企業内ＬＡＮのように狭い範囲のネットワーク回線などを指す。
また、採点内容書き込み手段は、実際に採点用紙に文字等を書き込む事が可能なものであり、採点情報取得手段は、その書き込まれた文字情報や書き込む課程等を光学的センサや加速度センサ等の所定のセンサによって読みとることで採点内容を示す情報を取得している。なお、解答情報取得手段も同様である。
また、ユニークパターンは、用紙表面に、何らかの模様の組み合わせや、所定範囲毎のドットパターンの組み合わせなどによって構成されたユニークなパターンであり、用紙表面における所定範囲のユニークパターンは、同表面の別の所定範囲のユニークパターンとは異なるパターンとなるように形成されており、更に、これら所定範囲のユニークパターンの組み合わせも用紙毎に異なるように形成されている。
【００１５】
また、請求項２に係る発明は、請求項１記載のオンライン試験システムにおいて、前記採点内容書き込み手段及び前記解答内容書き込み手段は、ペン型の装置であって、
前記採点情報取得手段は、前記採点内容として、前記採点用紙表面に設けられた前記ユニークパターン全体のうち、前記採点内容書き込み手段による前記採点内容書き込み時のペン先近傍のユニークパターン部分を読みとり、
前記解答情報取得手段は、前記解答内容として、前記解答用紙表面に設けられた前記ユニークパターン全体のうち、前記解答内容書き込み手段による前記解答内容書き込み時のペン先近傍のユニークパターン部分を読みとることを特徴としている。
【００１６】
つまり、採点内容書き込み手段及び解答内容書き込み手段をペン型の装置としたので、採点情報取得手段は、採点用紙表面に設けられたユニークパターン全体のうち、採点内容書き込み手段による採点内容の書き込み時のペン先近傍のユニークパターン部分を読み取り、解答情報取得手段は、解答用紙表面に設けられたユニークパターン全体のうち、解答内容書き込み手段による解答内容の書き込み時のペン先近傍のユニークパターン部分を読み取る。
【００１７】
従って、採点用紙に書き込まれた採点内容の正確な書き込み位置と、解答用紙に書き込まれた解答内容の正確な書き込み位置と、を取得することができることにより、これらの位置情報により、各用紙の対応する位置にそれぞれの書き込み内容を正確にプリントすることが可能となる。
また、請求項３に係る発明は、請求項１又は請求項２記載のオンライン試験システムにおいて、前記採点情報取得手段は、前記採点内容を示す情報を光学的に読みとるためのカメラ部を備え、
前記解答情報取得手段は、前記解答内容を示す情報を光学的に読みとるためのカメラ部を備えることを特徴としている。
【００１８】
つまり、採点情報取得手段に、採点用紙に書き込まれた採点内容を示す情報を取得するためのカメラ部を備え、採点内容を示す情報を光学的に読みとるようにし、解答情報取得手段に、解答用紙に書き込まれた解答内容を示す情報を取得するためのカメラ部を備え、解答内容を示す情報を光学的に読みとるようにした。従って、カメラによって撮影することになるので、各書き込み手段の移動軌跡を取得することが可能となり、例えば、筆跡情報等も取得することが可能となる。
【００２２】
また、請求項４に係る発明は、請求項１乃至請求項３のいずれか１項に記載のオンライン試験システムにおいて、前記システム利用者を認証するシステム利用者認証手段を、更に前記試験提供者側に備えたことを特徴としている。
【００２３】
つまり、試験提供者側に試験を受けるシステム利用者を認証するシステム利用者認証手段を設けたものである。
これにより、試験を受けるシステム利用者を認証することが可能となるので、試験におけるシステム利用者の不正防止及び不正の発見に役立つ。
また、請求項５に係る発明は、請求項４記載のオンライン試験システムにおいて、前記システム利用者側は、当該システム利用者に対応付けられた固有情報を備えており、前記システム利用者認証手段は、前記固有情報に基づき前記システム利用者を認証することを特徴としている。
【００２４】
つまり、システム利用者認証手段は、システム利用者固有の情報に基づいてシステム利用者の認証を行うようになっている。従って、例えば、固有情報が登録されてなく認証がされない者には試験を提供しないようにすることで不正なシステム利用者を抑えるのに役立つ。
また、請求項６に係る発明は、請求項４又は請求項５記載のオンライン試験システムにおいて、前記解答内容を示す情報には前記システム利用者の筆跡情報が含まれていると共に、前記試験提供者側は、システム利用者の筆跡特徴を示す筆跡鑑定用データを有しており、
前記システム利用者認証手段は、前記筆跡情報及び前記筆跡鑑定用データに基づき前記システム利用者の筆跡鑑定を行う筆跡鑑定部を備え、当該筆跡鑑定部の鑑定結果に基づき前記システム利用者を認証することを特徴としている。
【００２５】
つまり、解答内容を示す情報には、解答用紙に解答内容を書き込んだシステム利用者の筆跡情報が含まれていると共に、試験提供者側は、システム利用者の筆跡特徴を示す筆跡鑑定用データを有しているので、システム利用者認証手段の備える筆跡鑑定部は、筆跡情報及び筆跡鑑定用データに基づきシステム利用者の筆跡鑑定を行い、システム利用者認証手段は、その鑑定結果に基づきシステム利用者を認証するようになっている。
【００２６】
従って、筆跡鑑定による本人認証が可能となり、筆跡が一致しないシステム利用者による解答は、不正として発見することが可能となるので、試験の不正防止に役立つ。
また、本発明に係る請求項７記載のオンライン試験システムは、通信回線を介して試験提供者側がシステム利用者に所定の試験を実施するオンライン試験システムであって、
前記試験提供者側設備として、第１の端末装置と、第１の筆記装置と、第１のプリンタ装置と、を備え、
前記第１の端末装置は、前記システム利用者側設備に前記通信回線を介して所定の試験問題を示す情報を伝送する試験問題情報伝送手段と、前記システム利用者側設備から前記通信回線を介して前記所定の試験問題に対する解答内容を示す情報を受信する解答情報受信手段と、受信した前記解答内容を示す情報を前記第１のプリンタ装置に伝送する第１の伝送手段と、採点用紙に書き込まれた前記解答内容に対する採点内容を示す情報を前記システム利用者側設備に前記通信回線を介して伝送する採点情報伝送手段と、を備え、
前記第１の筆記装置は、前記解答内容に対する採点内容を前記採点用紙に書き込む第１の筆記手段と、前記採点用紙に書き込まれた前記採点内容を示す情報を取得する採点情報取得手段と、取得した前記採点内容を示す情報を前記第１の端末装置に伝送する第１の情報伝送手段と、を備え、
前記第１のプリンタ装置は、前記解答内容を示す情報を受信する第１の情報受信手段と、受信した前記解答内容を示す情報に基づき前記採点用紙に解答内容をプリントする解答内容プリント手段と、を備え、
前記システム利用者側設備として、第２の端末装置と、第２の筆記装置と、第２のプリンタ装置と、を備え、
前記第２の端末装置は、前記試験提供者側設備から前記通信回線を介して伝送された前記試験問題を示す情報を受信する試験問題情報受信手段と、前記解答内容を示す情報を前記通信回線を介して前記試験提供者側設備に伝送する解答情報伝送手段と、前記試験提供者側設備から伝送された前記採点内容を示す情報を受信する採点情報受信手段と、受信した前記試験問題を示す情報及び受信した前記採点内容を示す情報を前記第２のプリンタ装置に伝送する第２の伝送手段と、を備え、
前記第２の筆記装置は、前記解答内容を解答用紙に書き込む第２の筆記手段と、前記解答用紙に書き込まれた前記解答内容を示す情報を取得する解答情報取得手段と、取得した前記解答内容を示す情報を前記第２の端末装置に伝送する第２の情報伝送手段と、を備え、
前記第２のプリンタ装置は、前記試験問題を示す情報及び前記採点内容を示す情報を受信する第２の情報受信手段と、前記試験問題を示す情報に基づき前記解答用紙に前記試験問題をプリントする試験問題プリント手段と、前記採点内容を示す情報に基づき前記解答用紙に前記採点内容をプリントする採点内容プリント手段と、を備え、
前記採点用紙及び前記解答用紙は、各用紙表面に、当該用紙表面の絶対位置を示し、且つ前記採点用紙又は前記解答用紙となる各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとり、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴としている。
【００２７】
このような構成であれば、試験提供者側設備における、第１の端末装置は、試験問題情報伝送手段によって、前記システム利用者側設備に前記通信回線を介して所定の試験問題を示す情報を伝送し、解答情報受信手段によって、前記システム利用者側設備から前記通信回線を介して前記所定の試験問題に対する解答内容を示す情報を受信し、第１の伝送手段によって、受信した前記解答内容を示す情報を前記第１のプリンタ装置に伝送し、採点情報伝送手段によって、採点用紙に書き込まれた前記解答内容に対する採点内容を示す情報を前記システム利用者側設備に前記通信回線を介して伝送することが可能である。
【００２８】
更に、第１の筆記装置は、第１の筆記手段によって、前記解答内容に対する採点内容を前記採点用紙に書き込み可能とし、採点情報取得手段によって、前記採点用紙に書き込まれた前記採点内容を示す情報を取得し、第１の情報伝送手段によって、取得した前記採点内容を示す情報を前記第１の端末装置に伝送することが可能である。
【００２９】
なお更に、第１のプリンタ装置は、第１の情報受信手段によって、前記解答内容を示す情報を受信し、解答内容プリント手段によって、受信した前記解答内容を示す情報に基づき前記採点用紙に解答内容をプリントすることが可能である。一方、システム利用者側設備における、第２の端末装置は、試験問題情報受信手段によって、前記試験提供者側設備から前記通信回線を介して伝送された前記試験問題を示す情報を受信し、解答情報伝送手段によって、前記解答内容を示す情報を前記通信回線を介して前記試験提供者側設備に伝送し、採点情報受信手段によって、前記試験提供者側設備から伝送された前記採点内容を示す情報を受信し、第２の伝送手段によって、受信した前記試験問題を示す情報及び受信した前記採点内容を示す情報を前記第２のプリンタ装置に伝送することが可能である。
【００３０】
更に、第２の筆記装置は、第２の筆記手段によって、前記解答内容を前記解答用紙に書き込み可能とし、解答情報取得手段によって、前記解答用紙に書き込まれた前記解答内容を示す情報を取得し、第２の情報伝送手段によって、取得した前記解答内容を示す情報を前記第２の端末装置に伝送することが可能である。
なお更に、第２のプリンタ装置は、第２の情報受信手段によって、前記試験問題を示す情報及び前記採点内容を示す情報を受信し、試験問題プリント手段によって、前記試験問題を示す情報に基づき前記解答用紙に試験問題をプリントし、採点内容プリント手段によって、前記採点内容を示す情報に基づき前記解答用紙に前記採点内容をプリントすることが可能である。
また、採点用紙及び解答用紙は、各用紙表面に、当該用紙表面の絶対位置を示し、且つ採点用紙又は解答用紙となる各用紙毎にそれぞれ異なるユニークパターンが設けられているので、採点情報取得手段は、採点内容として、採点用紙表面に設けられたユニークパターン全体のうち、採点内容書き込み手段による書き込み位置近傍のユニークパターン部分を読みとることが可能であり、解答情報取得手段は、解答内容として、解答用紙表面に設けられたユニークパターン全体のうち、解答内容書き込み手段による書き込み位置近傍のユニークパターン部分を読みとることが可能である。
【００３１】
従って、通信回線を介して試験提供者側はシステム利用者側に試験を実施することが可能であり、例えば、試験地が遠方な人や、体が不自由な人が試験を簡易に受けることが可能となるので便利である。更に、試験の解答内容や採点内容は電子データ化されるので、試験結果の集計作業などに役立つ。なお更に、解答用紙を郵送する以外、解答内容及び採点内容などは、通信回線を介して授受されるので、郵送費の低減となる。また、採点用紙に書き込まれた採点内容の正確な書き込み位置及び解答用紙に書き込まれた解答内容の正確な書き込み位置を、それぞれ取得することができることにより、これらの位置情報によって、各用紙の対応する位置にそれぞれの書き込み内容を正確にプリントすることが可能となる。つまり、解答用紙には、採点用紙における採点内容の書き込み位置と同じ位置に、採点内容がプリントされ、一方、採点用紙には、解答用紙における解答内容の書き込み位置と同じ位置に、解答内容がプリントされる。解答用紙に試験問題もプリントされるような場合は、最終的に、システム利用者の有する解答用紙には試験問題と、当該試験問題に対する解答内容と、当該解答内容に対する採点内容と、の３つの内容が全て記載された状態となる。
【００３４】
従って、通信回線を介して試験提供者側はシステム利用者側に試験を実施することが可能であり、例えば、試験地が遠方な人や、体が不自由な人が試験を簡易に受けることが可能となるので便利である。更に、試験の解答内容や採点内容は電子データ化されるので、試験結果の集計作業などに役立つ。なお更に、解答用紙を郵送する以外、解答内容及び採点内容などは、通信回線を介して授受されるので、郵送費の低減となる。
また、請求項８に係る発明は、請求項７記載のオンライン試験システムにおいて、前記第１の筆記装置及び前記第２の筆記装置は、ペン型の装置であって、
前記採点情報取得手段は、前記採点内容として、前記採点用紙表面に設けられた前記ユニークパターン全体のうち、前記採点内容書き込み時の前記第１の筆記装置のペン先近傍のユニークパターン部分を読みとり、
前記解答情報取得手段は、前記解答内容として、前記解答用紙表面に設けられた前記ユニークパターン全体のうち、前記解答内容書き込み時の前記第２の筆記装置のペン先近傍のユニークパターン部分を読みとることを特徴としている。
【００３５】
つまり、採点内容書き込み手段及び解答内容書き込み手段をペン型の装置としたので、採点情報取得手段は、採点用紙表面に設けられたユニークパターン全体のうち、採点内容書き込み手段による採点内容の書き込み時のペン先近傍のユニークパターン部分を読み取り、解答情報取得手段は、解答用紙表面に設けられたユニークパターン全体のうち、解答内容書き込み手段による解答内容の書き込み時のペン先近傍のユニークパターン部分を読み取る。
【００３６】
従って、採点用紙に書き込まれた採点内容の正確な書き込み位置と、解答用紙に書き込まれた解答内容の正確な書き込み位置と、を取得することができることにより、これらの位置情報により、各用紙の対応する位置にそれぞれの書き込み内容を正確にプリントすることが可能となる。
また、請求項９に係る発明は、請求項７又は請求項８記載のオンライン試験システムにおいて、前記採点情報取得手段は、前記採点内容を示す情報を読みとるためのカメラ部を備え、
前記解答情報取得手段は、前記解答内容を示す情報を読みとるためのカメラ部を備えることを特徴としている。
【００３７】
つまり、採点情報取得手段に、採点用紙に書き込まれた採点内容を示す情報を取得するためのカメラ部を備え、採点内容を示す情報を光学的に読みとるようにし、解答情報取得手段に、解答用紙に書き込まれた解答内容を示す情報を取得するためのカメラ部を備え、解答内容を示す情報を光学的に読みとるようにした。
従って、カメラによって撮影することになるので、各書き込み手段の移動軌跡を取得することが可能となり、例えば、筆跡情報等も取得することが可能となる。
【００４３】
また、請求項１０に係る発明は、請求項７乃至請求項９のいずれか１項に記載のオンライン試験システムにおいて、前記第１の端末装置は、前記システム利用者を認証するシステム利用者認証部を、更に備えることを特徴としている。
【００４４】
つまり、試験提供者側に試験を受けるシステム利用者を認証するシステム利用者認証手段を設けたものである。
これにより、試験を受けるシステム利用者を認証することが可能となるので、試験におけるシステム利用者の不正防止及び不正の発見に役立つ。
また、請求項１１に係る発明は、請求項１０記載のオンライン試験システムにおいて、前記第２の筆記装置は、自装置固有の情報である筆記装置固有情報を有しており、前記システム利用者認証手段は、前記筆記装置固有情報に基づき前記システム利用者を認証することを特徴としている。
【００４５】
つまり、第２の筆記装置は、自装置固有の筆記装置固有情報を有しており、システム利用者認証手段は、筆記装置固有情報に基づきシステム利用者を認証するようになっている。
従って、例えば、誰かが、他のシステム利用者の振りをして試験を受けようとしても、所有する第２の筆記装置の筆記装置固有情報が、そのシステム利用者に対応付けられたもので無い場合は、不正であると判断できるので、不正防止及び発見に役立つ。
【００４６】
また、請求項１２に係る発明は、請求項１０又は請求項１１記載のオンライン試験システムにおいて、前記解答内容を示す情報には前記システム利用者の筆跡情報が含まれていると共に、前記第１の端末装置は、前記システム利用者の筆跡特徴を示す筆跡鑑定用データを有しており、
前記システム利用者認証手段は、前記筆跡情報及び前記筆跡鑑定用データに基づき前記システム利用者の筆跡鑑定を行う筆跡鑑定部を備え、当該筆跡鑑定部の鑑定結果に基づき前記システム利用者を認証することを特徴としている。
【００４７】
つまり、解答内容を示す情報には、解答用紙に解答内容を書き込んだシステム利用者の筆跡情報が含まれていると共に、試験提供者側は、システム利用者の筆跡特徴を示す筆跡鑑定用データを有しているので、システム利用者認証手段の備える筆跡鑑定部は、筆跡情報及び筆跡鑑定用データに基づきシステム利用者の筆跡鑑定を行い、システム利用者認証手段は、その鑑定結果に基づきシステム利用者を認証するようになっている。
【００４８】
従って、筆跡が一致しないシステム利用者による解答は、不正として発見することが可能となるので、試験の不正防止に役立つ。
また、請求項１３に係る発明は、請求項１０乃至請求項１２のいずれか１項に記載のオンライン試験システムにおいて、前記第２の端末装置は、自装置固有の情報である端末装置固有情報を有しており、前記システム利用者認証手段は、前記端末装置固有情報に基づき前記システム利用者を認証することを特徴としている。
【００４９】
つまり、第２の端末装置は、自装置固有の端末装置固有情報を有しており、システム利用者認証手段は、端末装置固有情報に基づきシステム利用者を認証するようになっている。
従って、例えば、誰かが、他のシステム利用者の振りをして試験を受けようとしても、所有する第２の端末装置の端末装置固有情報が、そのシステム利用者に対応付けられたもので無い場合は、不正であると判断できるので、不正防止及び発見に役立つ。
【００５０】
また、請求項１４に係る発明は、請求項７乃至請求項１３のいずれか１項に記載のオンライン試験システムにおいて、前記第２の伝送手段は、前記第２の端末装置に対して着脱可能な装置であることを特徴としている。
つまり、第２の伝送手段を、第２の端末装置に対して着脱可能としたので、例えば、汎用の端末装置に第２の伝送手段を装着することで、第２の端末装置と同様の機能を備えさせることが可能となり、汎用の端末装置を有するシステム利用者は、第２の伝送手段を入手することで第２の端末装置を購入する必要が無くなるので、システム利用者のコスト低減となる。
【００５１】
また、請求項１５に係る発明は、請求項７乃至請求項１４のいずれか１項に記載のオンライン試験システムにおいて、前記第２のプリンタ装置は、前記試験提供者から前記システム利用者に貸し出されることを特徴としている。
つまり、試験提供者が、第２のプリンタ装置をシステム利用者に貸し出すようにしたので、システム利用者は、システムを利用するために第２のプリンタ装置を購入する必要がなく購入の手間を省くと共に、コスト低減となる。
【００５２】
また、請求項１６に係る発明は、請求項１４又は請求項１５記載のオンライン試験システムにおいて、前記第２の伝送手段は、前記試験提供者から前記システム利用者に貸し出されることを特徴としている。
つまり、着脱可能な第２の伝送手段を、試験提供者がシステム利用者に貸し出すことで、システム利用者は、システムを利用するために第２の伝送手段を購入する必要がなくなり、購入の手間を省けると共に、コスト低減となる。
【００５３】
また、請求項１７に係る発明は、請求項７乃至請求項１６のいずれか１項に記載のオンライン試験システムにおいて、前記第２の端末装置は、前記試験提供者から前記システム利用者に貸し出されることを特徴としている。
つまり、第２の端末装置を、試験提供者がシステム利用者に貸し出すことで、システム利用者は、システムを利用するために第２の端末装置を購入する必要がなくなり購入の手間を省けると共に、コスト低減となる。
【００５４】
また、請求項１８に係る発明は、請求項１乃至請求項１７のいずれか１項に記載のオンライン試験システムにおいて、前記採点内容は、前記解答内容に対する添削内容を含むことを特徴としている。
つまり、採点内容には、試験の解答が合っているか否かといった内容や試験の点数だけでなく、解答の導き方などを示す添削内容が含まれている。従って、システム利用者は、添削内容から、例えば、なぜ解答を間違ったのか、どのように問題を解けば良いのかといったことを知ることが可能となり、問題の理解に役立つ。
【００５５】
また、請求項１９に係る発明は、請求項１乃至請求項１８のいずれか１項に記載のオンライン試験システムにおいて、前記解答内容は、前記システム利用者個人の情報を含むことを特徴としている。
つまり、解答内容は、システム利用者の氏名や所属などの個人情報を含むようにしたので、筆跡鑑定などの認証処理等に役立つ。
【００５６】
また、請求項２０に係る発明は、請求項１乃至請求項１９のいずれか１項に記載のオンライン試験システムにおいて、前記所定の試験は、所定の学校の取り扱う試験であることを特徴としている。
つまり、所定の試験として、所定の学校の取り扱う試験を実施するものである。
【００５７】
また、請求項２１に係る発明は、請求項１乃至請求項２０のいずれか１項に記載のオンライン試験システムにおいて、前記所定の試験は、所定の塾の取り扱う試験であることを特徴としている。
つまり、所定の試験として、所定の塾の取り扱う試験を実施するものである。
また、請求項２２に係る発明は、請求項１乃至請求項２１のいずれかに記載のオンライン試験システムにおいて、前記所定の試験は、所定の企業の取り扱う試験であることを特徴としている。
【００５８】
つまり、所定の試験として、所定の企業の取り扱う試験を実施するものである。
また、請求項２３に係る発明は、請求項１乃至請求項２２のいずれか１項に記載のオンライン試験システムにおいて、前記所定の試験は、所定の通信教育における教育科目の試験であることを特徴としている。
【００５９】
つまり、本システムを通信教育システムに適用し、所定の試験として、教育科目の試験を実施するものである。ここで、教育科目は、国語、数学、理科、英語などの普通科の学校で主に学ぶ試験科目の他に、運転免許証の取得に必要な試験科目であったり、その他、資格試験等の科目など、どのようなものでも良い。
また、本発明に係る請求項２４記載の試験提供者側設備は、請求項１記載のオンライン試験システムにおける試験提供者側設備であって、
システム利用者側に前記通信回線を介して所定の試験問題を示す情報を伝送する試験問題情報伝送手段と、前記システム利用者側から伝送された前記所定の試験問題に対する解答内容を示す情報に基づき当該解答内容を採点用紙にプリントする解答内容プリント手段と、前記解答内容に対する採点内容を前記採点用紙に書き込む採点内容書き込み手段と、前記採点用紙に書き込まれた前記採点内容を示す情報を取得する採点情報取得手段と、取得した前記採点内容を示す情報を前記システム利用者側に前記通信回線を介して伝送する採点情報伝送手段と、を備え、
前記採点用紙は、各用紙表面に、当該用紙表面の絶対位置を示し且つ各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとることを特徴としている。
【００６０】
ここで、請求項２４記載の試験提供者側設備は、請求項１記載のオンライン試験システムにおける試験提供者側の備える設備であり、その作用効果は同様のものとなるので、記載を省略する。
【００６１】
また、請求項２５に係る発明は、請求項２４記載の試験提供者側設備において、前記システム利用者を認証するシステム利用者認証手段を、更に備えることを特徴としている。
【００６２】
ここで、請求項２５記載の試験提供者側設備は、請求項４記載のオンライン試験システムにおける試験提供者側の備える設備であり、その作用効果は同様のものとなるので、記載を省略する。
また、本発明に係る請求項２６記載のシステム利用者側設備は、請求項１記載のオンライン試験システムにおけるシステム利用者側設備であって、
前記試験提供者側から前記通信回線を介して伝送された前記所定の試験問題を示す情報に基づき当該所定の試験問題を解答用紙にプリントする試験問題プリント手段と、前記解答内容を前記解答用紙に書き込む解答内容書き込み手段と、前記解答用紙に書き込まれた前記解答内容を示す情報を取得する解答情報取得手段と、取得した前記解答内容を示す情報を前記通信回線を介して前記試験提供者側に伝送する解答情報伝送手段と、前記試験提供者側から前記通信回線を介して伝送された前記採点内容を示す情報に基づき前記解答用紙に採点内容をプリントする採点内容プリント手段と、を備え、
前記解答用紙は、各用紙表面に、当該用紙表面の絶対位置を示し且つ各用紙毎にそれぞれ異なるユニークパターンが設けられており、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴としている。
【００６３】
ここで、請求項２６記載のシステム利用者側設備は、請求項１記載のオンライン試験システムにおけるシステム利用者側の備える設備であり、その作用効果は同様のものとなるので、記載を省略する。
また、本発明に係る請求項２７記載の試験提供者側設備は、請求項７記載のオンライン試験システムにおける試験提供者側設備であって、
第１の端末装置と、第１の筆記装置と、第１のプリンタ装置と、を備え、
前記第１の端末装置は、前記システム利用者側設備に前記通信回線を介して所定の試験問題を示す情報を伝送する試験問題情報伝送手段と、前記システム利用者側設備から前記通信回線を介して前記所定の試験問題に対する解答内容を示す情報を受信する解答情報受信手段と、受信した前記解答内容を示す情報を前記第１のプリンタ装置に伝送する第１の伝送手段と、採点用紙に書き込まれた前記解答内容に対する採点内容を示す情報を前記システム利用者側設備に前記通信回線を介して伝送する採点情報伝送手段と、を備え、
前記第１の筆記装置は、前記解答内容に対する採点内容を前記採点用紙に書き込む第１の筆記手段と、前記採点用紙に書き込まれた前記採点内容を示す情報を取得する採点情報取得手段と、取得した前記採点内容を示す情報を前記第１の端末装置に伝送する第１の情報伝送手段と、を備え、
前記第１のプリンタ装置は、前記解答内容を示す情報を受信する第１の情報受信手段と、受信した前記解答内容を示す情報に基づき前記採点用紙に解答内容をプリントする解答内容プリント手段と、を備え、
前記採点用紙は、各用紙表面に、当該用紙表面の絶対位置を示し且つ各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとることを特徴としている。
【００６４】
ここで、請求項２７記載の試験提供者側設備は、請求項７記載のオンライン試験システムにおける試験提供者側の備える設備であり、その作用効果は同様のものとなるので、記載を省略する。
【００６５】
また、請求項２８に係る発明は、請求項２７記載の試験提供者側設備において、前記第１の端末装置は、前記システム利用者を認証するシステム利用者認証部を、更に備えることを特徴としている。
【００６６】
ここで、請求項２８記載の試験提供者側設備は、請求項７記載のオンライン試験システムにおける試験提供者側の備える設備であり、その作用効果は同様のものとなるので、記載を省略する。
また、本発明に係る請求項２９記載のシステム利用者側設備は、請求項７記載のオンライン試験システムにおけるシステム利用者側設備であって、
第２の端末装置と、第２の筆記装置と、第２のプリンタ装置と、を備え、
前記第２の端末装置は、前記試験提供者側設備から前記通信回線を介して伝送された前記試験問題を示す情報を受信する試験問題情報受信手段と、前記解答内容を示す情報を前記通信回線を介して前記試験提供者側設備に伝送する解答情報伝送手段と、前記試験提供者側設備から伝送された前記採点内容を示す情報を受信する採点情報受信手段と、受信した前記試験問題を示す情報及び受信した前記採点内容を示す情報を前記第２のプリンタ装置に伝送する第２の伝送手段と、を備え、
前記第２の筆記装置は、前記解答内容を前記解答用紙に書き込む第２の筆記手段と、前記解答用紙に書き込まれた前記解答内容を示す情報を取得する解答情報取得手段と、取得した前記解答内容を示す情報を前記第２の端末装置に伝送する第２の情報伝送手段と、を備え、
前記第２のプリンタ装置は、前記試験問題を示す情報及び前記採点内容を示す情報を受信する第２の情報受信手段と、前記試験問題を示す情報に基づき前記解答用紙に試験問題をプリントする試験問題プリント手段と、前記採点内容を示す情報に基づき前記解答用紙に前記採点内容をプリントする採点内容プリント手段と、を備え、
前記解答用紙は、各用紙表面に、当該用紙表面の絶対位置を示し且つ各用紙毎にそれぞれ異なるユニークパターンが設けられており、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴としている。
【００６７】
ここで、請求項２９記載のシステム利用者側設備は、請求項７記載のオンライン試験システムにおけるシステム利用者側の備える設備であり、その作用効果は同様のものとなるので、記載を省略する。
また、本発明に係る請求項３０記載の第１の端末装置は、請求項７記載のオンライン試験システムにおける第１の端末装置であって、
前記システム利用者側設備に前記通信回線を介して所定の試験問題を示す情報を伝送する試験問題情報伝送手段と、前記システム利用者側設備から前記通信回線を介して前記所定の試験問題に対する解答内容を示す情報を受信する解答情報受信手段と、受信した前記解答内容を示す情報を前記第１のプリンタ装置に伝送する第１の伝送手段と、採点用紙に書き込まれた前記解答内容に対する採点内容を示す情報を前記システム利用者側設備に前記通信回線を介して伝送する採点情報伝送手段と、を備えることを特徴としている。
【００６８】
ここで、請求項３０記載の第１の端末装置は、請求項７記載のオンライン試験システムにおける第１の端末装置であり、その作用効果は同様のものとなるので、記載を省略する。
【００６９】
また、請求項３１に係る発明は、請求項３０記載の第１の端末装置において、前記システム利用者を認証するシステム利用者認証部を、更に備えることを特徴としている。
【００７０】
ここで、請求項３１記載の試験提供者側設備は、請求項１０記載のオンライン試験システムにおける第１の端末装置であり、その作用効果は同様のものとなるので、記載を省略する。
また、請求項３２に係る発明は、請求項３１記載の第１の端末装置において、前記システム利用者認証部は、前記第２の端末装置の有する端末装置固有情報に基づき前記システム利用者を認証することを特徴としている。
【００７１】
ここで、請求項３２記載の試験提供者側設備は、請求項１３記載のオンライン試験システムにおける第１の端末装置であり、その作用効果は同様のものとなるので、記載を省略する。
また、請求項３３に係る発明は、請求項３１又は請求項３２記載の第１の端末装置において、前記システム利用者認証部は、第２の筆記装置の有する筆記装置固有情報に基づき前記システム利用者を認証することを特徴としている。
【００７２】
ここで、請求項３３記載の試験提供者側設備は、請求項１１記載のオンライン試験システムにおける第１の端末装置であり、その作用効果は同様のものとなるので、記載を省略する。
また、請求項３４に係る発明は、請求項３１乃至請求項３３のいずれか１項に記載の第１の端末装置において、前記解答内容を示す情報には前記システム利用者の筆跡情報が含まれており、前記システム利用者認証手段は、前記筆跡情報に基づき筆跡鑑定を行う筆跡鑑定部を備え、当該筆跡鑑定部の鑑定結果に基づき前記システム利用者を認証することを特徴としている。
【００７３】
ここで、請求項３４記載の試験提供者側設備は、請求項１２記載のオンライン試験システムにおける第１の端末装置であり、その作用効果は同様のものとなるので、記載を省略する。
また、本発明に係る請求項３５記載の第１の筆記装置は、請求項７記載のオンライン試験システムにおける第１の筆記装置であって、
前記解答内容に対する採点内容を前記採点用紙に書き込む第１の筆記手段と、前記採点用紙に書き込まれた前記採点内容を示す情報を取得する採点情報取得手段と、取得した前記採点内容を示す情報を前記第１の端末装置に伝送する第１の情報伝送手段と、を備え、
前記採点用紙は、各用紙表面に、当該用紙表面の絶対位置を示し且つ各用紙毎にそれぞれ異なるユニークパターンが設けられており、
前記採点情報取得手段は、前記採点内容として、前記採点用紙表面に設けられた前記ユニークパターン全体のうち、前記採点内容書き込み手段による書き込み位置近傍のユニークパターン部分を読みとることを特徴としている。
【００７４】
ここで、請求項３５記載の第１の筆記装置は、請求項７記載のオンライン試験システムにおける第１の筆記装置であり、その作用効果は同様のものとなるので、記載を省略する。
また、請求項３６に係る発明は、請求項３６記載の第１の筆記装置において、前記採点情報取得手段は、前記採点内容を示す情報を読みとるためのカメラ部を備えることを特徴としている。
【００７５】
ここで、請求項３６記載の第１の筆記装置は、請求項９記載のオンライン試験システムにおける第１の筆記装置であり、その作用効果は同様のものとなるので、記載を省略する。
また、本発明に係る請求項３７記載の第１のプリンタ装置は、請求項７記載のオンライン試験システムにおける第１のプリンタ装置であって、
前記解答内容を示す情報を受信する第１の情報受信手段と、受信した前記解答内容を示す情報に基づき前記採点用紙に解答内容をプリントする解答内容プリント手段と、を備えることを特徴としている。
【００７６】
ここで、請求項３７記載の第１のプリンタ装置は、請求項７記載のオンライン試験システムにおける第１のプリンタ装置であり、その作用効果は同様のものとなるので、記載を省略する。
また、本発明に係る請求項３８記載の採点用紙は、請求項７記載のオンライン試験システムにおける採点用紙であって、
各用紙表面に、当該用紙表面の絶対位置を示し且つ各用紙毎にそれぞれ異なるユニークパターンが設けられていることを特徴としている。
【００７７】
ここで、請求項３８記載の採点用紙は、請求項７記載のオンライン試験システムにおける採点用紙であり、その作用効果は同様のものとなるので、記載を省略する。
また、本発明に係る請求項３９記載の第２の端末装置は、請求項７記載のオンライン試験システムにおける第２の端末装置であって、
前記試験提供者側設備から前記通信回線を介して伝送された前記試験問題を示す情報を受信する試験問題情報受信手段と、前記解答内容を示す情報を前記通信回線を介して前記試験提供者側設備に伝送する解答情報伝送手段と、前記試験提供者側設備から伝送された前記採点内容を示す情報を受信する採点情報受信手段と、受信した前記試験問題を示す情報及び受信した前記採点内容を示す情報を前記第２のプリンタ装置に伝送する第２の伝送手段と、を備えることを特徴としている。
【００７８】
ここで、請求項３９記載の第２の端末装置は、請求項７記載のオンライン試験システムにおける第２の端末装置であり、その作用効果は同様のものとなるので、記載を省略する。
また、本発明に係る請求項４０記載の第２の端末装置は、請求項７記載のオンライン試験システムにおける第２の端末装置であって、
前記試験提供者側設備から前記通信回線を介して伝送された前記試験問題を示す情報を受信する試験問題情報受信手段と、前記解答内容を示す情報を前記通信回線を介して前記試験提供者側設備に伝送する解答情報伝送手段と、前記試験提供者側設備から伝送された前記採点内容を示す情報を受信する採点情報受信手段と、受信した前記試験問題を示す情報及び受信した前記採点内容を示す情報を前記第２のプリンタ装置に伝送する第２の伝送手段と、を備えた携帯型端末であることを特徴としている。
【００７９】
つまり、請求項７記載の第２の端末装置を、携帯電話やＰＤＡ等の携帯型端末にしたものである。作用効果等は請求項７記載の第２の端末装置と同様であるので記載を省略する。
また、請求項４１に係る発明は、請求項３９又は請求項４０記載の第２の端末装置において、自装置固有の情報である端末装置固有情報を有することを特徴としている。
【００８０】
ここで、請求項４１記載の第２の端末装置は、請求項１３記載のオンライン試験システムにおける第２の端末装置であり、その作用効果は同様のものとなるので、記載を省略する。
また、本発明に係る請求項４２記載の第２の筆記装置は、請求項７記載のオンライン試験システムにおける第２の筆記装置であって、
前記解答内容を前記解答用紙に書き込む第２の筆記手段と、前記解答用紙に書き込まれた前記解答内容を示す情報を取得する解答情報取得手段と、取得した前記解答内容を示す情報を前記第２の端末装置に伝送する第２の情報伝送手段と、を備え、
前記解答用紙は、各用紙表面に、当該用紙表面の絶対位置を示し且つ各用紙毎にそれぞれ異なるユニークパターンが設けられており、
前記解答情報取得手段は、前記解答内容として、前記解答用紙表面に設けられた前記ユニークパターン全体のうち、前記解答内容書き込み手段による書き込み位置近傍のユニークパターン部分を読みとることを特徴としている。
【００８１】
ここで、請求項４２記載の第２の筆記装置は、請求項７記載のオンライン試験システムにおける第２の筆記装置であり、その作用効果は同様のものとなるので、記載を省略する。
また、請求項４３に係る発明は、請求項４２記載の第２の筆記装置において、自装置固有の情報である筆記装置固有情報を有することを特徴としている。
【００８２】
ここで、請求項４３記載の第２の筆記装置は、請求項１１記載のオンライン試験システムにおける第２の筆記装置であり、その作用効果は同様のものとなるので、記載を省略する。
また、請求項４４に係る発明は、請求項４２又は請求項４３記載の第２の筆記装置において、前記解答情報取得手段は、前記解答内容を示す情報を読みとるためのカメラ部を備えることを特徴としている。
【００８３】
ここで、請求項４４記載の第２の筆記装置は、請求項１２記載のオンライン試験システムにおける第２の筆記装置であり、その作用効果は同様のものとなるので、記載を省略する。
また、本発明に係る請求項４５記載の第２のプリンタ装置は、請求項７記載のオンライン試験システムにおける第２のプリンタ装置であって、
前記試験問題を示す情報及び前記採点内容を示す情報を受信する第２の情報受信手段と、前記試験問題を示す情報に基づき前記解答用紙に試験問題をプリントする試験問題プリント手段と、前記採点内容を示す情報に基づき前記解答用紙に前記採点内容をプリントする採点内容プリント手段と、を備えることを特徴としている。
【００８４】
ここで、請求項４５記載の第２のプリンタ装置は、請求項７記載のオンライン試験システムにおける第２のプリンタ装置であり、その作用効果は同様のものとなるので、記載を省略する。
また、本発明に係る請求項４６記載の解答用紙は、請求項７記載のオンライン試験システムにおける解答用紙であって、
各用紙表面に当該用紙表面の絶対位置を示す、前記解答用紙となる各用紙毎にそれぞれ異なるユニークパターンが設けられていることを特徴としている。
【００８５】
ここで、請求項４６記載の解答用紙は、請求項７記載のオンライン試験システムにおける解答用紙であり、その作用効果は同様のものとなるので、記載を省略する。
また、本発明に係る請求項４７記載の第１の試験システム制御用プログラムは、請求項１記載のオンライン試験システムにおける試験提供者側の備える各手段を制御するための第１の試験システム制御用プログラムであって、
システム利用者側に前記通信回線を介して所定の試験問題を示す情報を伝送する試験問題情報伝送ステップと、前記システム利用者側から伝送された前記所定の試験問題に対する解答内容を示す情報に基づき前記解答内容を採点用紙にプリントする解答内容プリントステップと、前記採点用紙に書き込まれた前記採点内容を示す情報を取得する採点情報取得ステップと、取得した前記採点内容を示す情報を前記システム利用者側に前記通信回線を介して伝送する採点情報伝送ステップと、を備え、
前記採点用紙は、各用紙表面に、当該用紙表面の絶対位置を示し且つ各用紙毎にそれぞれ異なるユニークパターンが設けられており、
前記採点情報取得ステップにおいては、前記採点内容として、前記採点用紙表面に設けられた前記ユニークパターン全体のうち、前記採点内容書き込み手段による書き込み位置近傍のユニークパターン部分を読みとることを特徴としている。
【００８６】
ここで、請求項４７記載の第１の試験システム制御用プログラムは、請求項１記載のオンライン試験システムにおける試験提供者側の備える各手段を制御するためのプログラムであり、その効果は同様のものとなるので、記載を省略する。
【００８７】
また、請求項４８に係る発明は、請求項４７記載の第１の試験システム制御用プログラムにおいて、前記システム利用者を認証するシステム利用者認証ステップを、更に備えることを特徴としている。
【００８８】
ここで、請求項４８記載の第１の試験システム制御用プログラムは、請求項１１記載のオンライン試験システムにおける試験提供者側の備える各手段を制御するためのプログラムであり、その効果は同様のものとなるので、記載を省略する。
また、本発明に係る請求項４９記載の第２の試験システム制御用プログラムは、請求項１記載のオンライン試験システムにおけるシステム利用者側の備える各手段を制御するための第２の試験システム制御用プログラムであって、
前記試験提供者側から伝送された前記所定の試験問題を示す情報に基づき前記所定の試験問題を解答用紙にプリントする試験問題プリントステップと、前記解答用紙に書き込まれた前記解答内容を示す情報を取得する解答情報取得ステップと、取得した前記解答内容を示す情報を前記通信回線を介して前記試験提供者側設備に伝送する解答情報伝送ステップと、前記試験提供者側から伝送された前記採点内容を示す情報に基づき前記解答用紙に採点内容をプリントする採点内容プリントステップと、を備え、
前記解答用紙は、各用紙表面に、当該用紙表面の絶対位置を示し且つ各用紙毎にそれぞれ異なるユニークパターンが設けられており、
前記解答情報取得ステップにおいては、前記解答内容として、前記解答用紙表面に設けられた前記ユニークパターン全体のうち、前記解答内容書き込み手段による書き込み位置近傍のユニークパターン部分を読みとることを特徴としている。
【００８９】
ここで、請求項４９記載の第２の試験システム制御用プログラムは、請求項１記載のオンライン試験システムにおけるシステム利用者側の備える各手段を制御するためのプログラムであり、その効果は同様のものとなるので、記載を省略する。
また、本発明に係る請求項５０記載の第１の端末装置制御用プログラムは、請求項７記載のオンライン試験システムにおける前記第１の端末装置を制御するための第１の端末装置制御用プログラムであって、
前記システム利用者側設備に前記通信回線を介して所定の試験問題を示す情報を伝送する試験問題情報伝送ステップと、前記システム利用者側設備から伝送された前記所定の試験問題に対する解答内容を示す情報を受信する解答情報受信ステップと、受信した前記解答内容を示す情報を前記解答内容プリント装置に伝送する伝送ステップと、採点内容を示す情報を前記システム利用者側設備に前記通信回線を介して伝送する採点情報伝送ステップと、を備えることを特徴としている。
【００９０】
ここで、請求項５０記載の第１の端末装置制御用プログラムは、請求項７記載のオンライン試験システムにおける第１の端末装置を制御するためのプログラムであり、その効果は重複するので、記載を省略する。
【００９１】
また、請求項５１に係る発明は、請求項５０記載の第１の端末装置制御用プログラムにおいて、前記システム利用者を認証するシステム利用者認証ステップを、更に備えることを特徴としている。
【００９２】
ここで、請求項５１記載の第１の端末装置制御用プログラムは、請求項１１記載のオンライン試験システムにおける第１の端末装置を制御するためのプログラムであり、その効果は重複するので、記載を省略する。
また、本発明に係る請求項５２記載の第１の筆記装置制御用プログラムは、請求項７記載のオンライン試験システムにおける前記第１の筆記装置を制御するための第１の筆記装置制御用プログラムであって、
前記採点用紙に書き込まれた前記採点内容を示す情報を取得する採点情報取得ステップと、取得した前記採点内容を示す情報を前記第１の端末装置に伝送する第１の情報伝送ステップと、を備え、
前記採点用紙は、各用紙表面に、当該用紙表面の絶対位置を示し且つ各用紙毎にそれぞれ異なるユニークパターンが設けられており、
前記採点情報取得ステップにおいては、前記採点内容として、前記採点用紙表面に設けられた前記ユニークパターン全体のうち、前記採点内容書き込み手段による書き込み位置近傍のユニークパターン部分を読みとることを特徴としている。
【００９３】
ここで、請求項５２記載の第１の筆記装置制御用プログラムは、請求項７記載のオンライン試験システムにおける第１の筆記装置を制御するためのプログラムであり、その効果は重複するので、記載を省略する。
また、本発明に係る請求項５３記載の第２の端末装置制御用プログラムは、請求項７記載のオンライン試験システムにおける前記第２の端末装置を制御するための第２の端末装置制御用プログラムであって、
前記試験提供者側設備から伝送された前記試験問題を示す情報を受信する試験問題情報受信ステップと、前記解答内容を示す情報を前記通信回線を介して前記試験提供者側設備に伝送する解答情報伝送ステップと、前記試験提供者側設備から伝送された前記採点内容を示す情報を受信する採点情報受信ステップと、受信した前記試験問題を示す情報及び受信した前記採点内容を示す情報を前記第２のプリンタ装置に伝送する第２の伝送ステップと、を備えることを特徴としている。
【００９４】
ここで、請求項５３記載の第２の端末装置制御用プログラムは、請求項７記載のオンライン試験システムにおける第２の端末装置を制御するためのプログラムであり、その効果は重複するので、記載を省略する。
また、本発明に係る請求項５４記載の第２の筆記装置制御用プログラムは、請求項７記載のオンライン試験システムにおける前記第２の筆記装置を制御するための第２の筆記装置制御用プログラムであって、
前記解答用紙に書き込まれた前記解答内容を示す情報を取得する解答情報取得ステップと、取得した前記解答内容を示す情報を前記第２の端末装置に伝送する第２の情報伝送ステップと、を備え、
前記解答用紙は、各用紙表面に、当該用紙表面の絶対位置を示し且つ各用紙毎にそれぞれ異なるユニークパターンが設けられており、
前記解答情報取得ステップにおいては、前記解答内容として、前記解答用紙表面に設けられた前記ユニークパターン全体のうち、前記解答内容書き込み手段による書き込み位置近傍のユニークパターン部分を読みとることを特徴としている。
【００９５】
ここで、請求項５４記載の第２の筆記装置制御用プログラムは、請求項７記載のオンライン試験システムにおける第２の筆記装置を制御するためのプログラムであり、その効果は重複するので、記載を省略する。
【００９６】
【発明の実施の形態】
以下、本発明の実施の形態を図面に基づいて説明する。図１乃至図１０は、本発明に係るオンライン試験システムの実施の形態を示す図である。
まず、本発明に係るオンライン試験システムの構成を図１及び図２に基づいて説明する。図１は、本発明に係るオンライン試験システムの概略構成を示すブロック図であり、図２は、本発明に係るオンライン試験システムの詳細な構成を示すブロック図である。
【００９７】
図１に示すように、オンライン試験システム１は、試験提供者側設備２と、システム利用者側設備３と、インターネット４と、から構成される。
試験提供者側設備２は、試験問題及び採点内容の配信等を行う端末装置２０と、後述する採点用紙２３に解答内容をプリントする第１のプリンタ装置２１と、採点用紙２３に採点内容を書き込むと共に、採点内容に関する情報を取得する第１の筆記装置２２と、用紙表面に、同表面の絶対位置を示すユニークパターンを有した採点用紙２３と、を含んだ構成となっている。
【００９８】
ここで、採点用紙２３には、第１の筆記装置２２によって取得された採点内容を示すパターンデータを端末装置２０に伝送するための送信チェック領域が設けられており、第１の筆記装置２２が、この領域のパターンデータを取得することによって、当該筆記装置２２のメモリ部に記憶されたパターンデータが端末装置２０に伝送されるようになっている。
【００９９】
システム利用者側設備３は、試験問題の受信及び解答内容の伝送等を無線通信網及びインターネット４を介して行う携帯電話３０と、プリンタ用の試験問題及び採点内容のデータを後述する解答用紙３３にプリントする第２のプリンタ装置３１と、解答用紙３３に解答内容を書き込むと共に、解答内容に関する情報を取得する第２の筆記装置３２と、用紙表面に、同表面の絶対位置を示すユニークパターンを有した解答用紙３３と、を含んだ構成となっている。
【０１００】
ここで、解答用紙３３には、採点用紙２３と同様に、第２の筆記装置３２によって取得されたパターンデータを携帯電話３０に伝送するための送信チェック領域が設けられており、第２の筆記装置３２が、この領域のパターンデータを取得することによって、当該筆記装置３２の図示しないメモリに記憶されたパターンデータが携帯電話３０に伝送されるようになっている。
【０１０１】
また、本実施の形態においては、解答用紙３３には、試験問題及び試験問題に対する解答欄が両方ともプリントされるようになっている。
インターネット４は、世界中の様々なネットワークが相互接続された大規模なネットワークであり、ＰＣ等の端末機器によって電話回線や専用回線等を介して接続することが可能であり、ネットワークに接続されたＷＷＷ（World Wide Web）サーバ等の公開している情報を、端末機器で実行される専用のブラウザソフトによって閲覧することが可能である。また、インターネット４は、ネットビジネス等の様々な用途に用いられている。
【０１０２】
なお、本実施の形態において、採点用紙２３と解答用紙３３とは同じサイズの用紙（例えば、Ａ４サイズ）であり、且つ、用紙表面の互いに同じ絶対位置に設けられたユニークパターンが対応付けされている。つまり、一方の用紙に書き込んだ情報を、他方の用紙の同じ絶対位置にプリントすることが可能となっている。
【０１０３】
そして、データ制御部２０ｂによって生成されるプリンタ用データには、ユニークパターンに対応付けられた用紙表面の絶対位置情報が含まれており、上記プリンタ装置は、この位置情報に基づいて採点用紙２３及び解答用紙３３に試験問題等をプリントするようになっている。
更に、図２に基づいて、オンライン試験システム１の詳細な構成を説明する。
【０１０４】
図２に示すように、試験提供者側設備２における、端末装置２０は、データ送受信部２０ａと、データ制御部２０ｂと、認証部２０ｃと、第１の近距離無線通信部２０ｄと、を含んだ構成となっている。
データ送受信部２０ａは、インターネット４を介して、システム利用者側設備３との間のデータ通信を行うものである。
【０１０５】
データ制御部２０ｂは、取得したデータの制御を行うもので、第１の筆記装置２２から取得したパターンデータの解析や、取得したパターンデータをプリンタ用のデータに変換する処理等を行うものである。
第１の近距離無線通信部２０ｄは、第１のプリンタ装置２１及び第１の筆記装置２２との間のデータの近距離無線通信を行うものである。
【０１０６】
また、端末装置２０は、図示しないが、各処理部を制御するためのプログラムの記憶されたＲＯＭと、プログラムの実行において使用するデータを記憶するためのＲＡＭと、プログラムを実行するためのＣＰＵ（中央処理装置）と、各装置間のデータの送受信を行うためのＩ／Ｆ（インターフェース）回路とを備えている。
【０１０７】
第１のプリンタ装置２１は、第１のプリント部２１ａと、第２の近距離無線通信部２１ｂと、を含んだ構成となっている。
第１のプリント部２１ａは、第２の近距離無線通信部２１ｂによって受信された解答内容のプリンタ用データに基づき、装置にセットされた採点用紙２３に解答内容をプリントするものである。
【０１０８】
第２の近距離無線通信部２１ｂは、端末装置２０からプリンタ用データを受信するためのものである。
第１の筆記装置２２は、第１の筆記部２２ａと、第１のカメラ部２２ｂと、第１のパターンデータ制御部２２ｃと、第３の近距離無線通信部２２ｄと、を含んだ構成となっている。
【０１０９】
第１の筆記部２２ａは、本実施の形態においては、公知のボールペンと同様の仕組みとなっており、先端部のボールにインクを付着させボールの回転を利用して用紙に文字等を書き込むことが可能なものであり、インクとしてカーボンを含まないノンカーボンのものを用い、更に、文字等を書くときの筆圧を検知する機能も有している。
【０１１０】
第１のカメラ部２２ｂは、デジタルカメラであり、撮影対象の放射する光をＣＣＤ（Charge Coupled Device）によって受光し、更に、受光した光を光電変換によって電気データに変換することで対象を撮影するものであり、本実施の形態においては、筆圧の検知に応じて撮影を開始し、採点用紙２３の表面における第１の筆記部２２ａの先端部近傍の映像を撮影する。
【０１１１】
第１のパターンデータ制御部２２ｃは、第１のカメラ部２２ｂによって撮影された映像を解析し、映像中のユニークパターンを抽出する処理を行うものである。ここで、抽出されたユニークパターンのデータはメモリ部に記憶される。
第３の近距離無線通信部２２ｄは、採点用紙２３の表面に設けられた送信チェック領域のユニークパターンを第１のカメラ部２２ｂが撮影することによって、メモリ部に蓄積されたパターンデータを端末装置２０に近距離無線によって伝送するものである。従って、第１の筆記装置２２によって、送信チェック領域内に何らかの印を書き込む（チェックする）ことによって、メモリ部のデータ送信が行われる。ここで、送信チェック領域内のユニークパターンは、専用のユニークパターンであり、どれも同じパターン構成となっている。また、送信チェック領域の撮影が行われない限り、撮影されたユニークパターンデータは、メモリの限界容量まで記憶され蓄積されることになる。
【０１１２】
更に、システム利用者側設備３における、携帯電話３０は、携帯電話機能部３０ａと、第４の近距離無線通信部３０ｂと、から構成される。
携帯電話機能部３０ａは、携帯電話回線を利用して、他の携帯電話や固定電話などと通話を行ったり、インターネット通信を行う機能を有している公知の携帯電話と同様の機能を持つものである。
【０１１３】
第４の近距離無線通信部３０ｂは、試験提供者側設備２から受信した、プリンタ用の試験問題及び採点内容のデータを、第２のプリンタ装置３１に近距離の無線通信によって伝送するものである。
第２のプリンタ装置３１は、第２のプリント部３１ａと、第２の近距離無線通信部２１ｂと、を含んだ構成となっている。
【０１１４】
第２のプリント部３１ａは、第２の近距離無線通信部３１ｂによって取得したプリンタ用の試験問題及び採点内容のデータに基づき、試験問題及び採点内容を第２のプリンタ装置３１にセットされた解答用紙３３にプリントするものである。
第２の近距離無線通信部３１ｂは、携帯電話３０から伝送されるプリンタ用の試験問題及び採点内容のデータを受信するためのものである。
【０１１５】
第２の筆記装置３２は、第２の筆記部３２ａと、第２のカメラ部３２ｂと、第２のパターンデータ制御部３２ｃと、第３の近距離無線通信部２２ｄと、を含んだ構成となっている。
第２の筆記部３２ａは、上記第１の筆記部２２ａと同様のものであるので記載を省略する。
【０１１６】
第２のカメラ部３２ｂは、第１のカメラ部２２ｂと同様の仕組みとなっており、筆圧の検知に応じて撮影を開始し、解答用紙３３の表面における第２の筆記部３２ａの先端部近傍の映像を撮影する。
第２のパターンデータ制御部３２ｃは、第２のカメラ部３２ｂによって撮影された映像を解析し、その映像中のユニークパターンを抽出する処理を行うものである。
【０１１７】
第３の近距離無線通信部２２ｄは、上記同様に、解答用紙３３表面に設けられた送信チェック領域内のユニークパターンを第１のカメラ部２２ｂが撮影することによって、メモリ部に記憶されたパターンデータを端末装置２０に近距離無線通信によって伝送するものである。
更に、オンライン試験システム１のより具体的な動作を、図３及び図４に基づいて説明する。図３は、第２の筆記装置３２の外観構成及び内部構成を示す図であり、図４は、解答用紙３３表面におけるユニークパターンの構成例を示す図である。
【０１１８】
まず、本実施の形態におけるオンライン試験システム１は、インターネット４を介して試験提供者側がシステム利用者側に対して所定の試験（例えば、学校や企業の行う試験など）を実施するシステムである。そして、本システム１のシステム利用者側設備３における第２の携帯電話３０、プリンタ装置３１及び第２の筆記装置３２は試験提供者側がシステム利用者側に貸し出すようになっている。
【０１１９】
試験の実施内容を説明すると、試験提供者側は、試験提供者側設備２における試験問題データベースからプリンタ用の試験問題データを読み出して（図１の〔１〕参照）、端末装置２０のデータ送受信部２０ａによって、読み出した試験問題データを、インターネット４を介してシステム利用者側設備３に伝送する（図１の〔２〕参照）。
【０１２０】
一方、システム利用者側設備３は、携帯電話３０の携帯電話機能部３０ａの機能によって、プリンタ用試験問題データを受信すると、そのデータを第４の近距離無線通信部３０ｂによって、第２のプリンタ装置３１に伝送する（図１の〔３〕参照）。
そして、第２のプリンタ装置３１は、第２の近距離無線通信部２１ｂによってプリンタ用試験問題データを受信すると、第２のプリント部３１ａによって装置にセットされた解答用紙３３に試験問題をプリントする（図１の〔４〕参照）。ここで、本実施の形態においては、解答用紙３３に解答を書き込むようになっている。
【０１２１】
このようにして、試験問題が解答用紙３３にプリントされると、システム利用者は、試験提供者側からの試験開始の合図に応じて第２の筆記装置３２によって試験問題の解答を行う。つまり、システム利用者による試験問題の解答作業は、解答用紙３３に直接解答内容を書き込むことによって行われる。なお、第２の筆記装置３２は、図３に示すようなペン形状となっており、その内部に上記した３２ａ〜３２ｄの各部が配設されている。また、解答内容には、システム利用者の氏名などの利用者固有の情報も含まれるものとする。
【０１２２】
そして、解答用紙３３に解答内容の書き込みが行われると、第２の筆記部３２ａは、その筆圧を検知する。すると、この筆圧の検知に応じて第２のカメラ部３２ｂが第２の筆記装置３２の先端部近傍のパターンデータの撮影を行う。ここで、ユニークパターンは、図４中の解答用紙３３表面の所定領域４０（例えば、３６×３６ドットの領域）の拡大図に示すように、カーボンインク（例えば、黒色）による複数のドット４１が領域４０内の所定位置にプリントされることによって構成されている。これら複数のドット４１によって構成されるユニークパターンは、この用紙表面の別の領域において同じパターンのものは存在せず、且つ、他の用紙表面に対しても存在しないものである。従って、これら領域内のドットパターンが用紙表面の絶対位置情報となり得るのである。
【０１２３】
また、本実施の形態においては、上記したように、ユニークパターンを構成するドットが、カーボンインクでプリントされているため、このドットが第２のカメラ部３２ｂから放出される赤外線を吸収してドットイメージを形成する。従って、ノンカーボンのインクによってユニークパターン上にプリントや書き込みを行っても、第２のカメラ部３２ｂは、ドットの吸収した赤外線を読みとるので、ドットの組み合わせを誤認識することがなく、正確にユニークパターンを読みとることが可能である。
【０１２４】
そして、第２のカメラ部３２ｂによって撮影された映像は、第２のパターンデータ制御部３２ｃによって解析され、映像中のユニークパターンが抽出される。図３に示すように、パターンデータ制御部３２ｃは、メモリ部と専用のプロセッサ部とから構成されており、第２のカメラ部３２ｂによって撮影された解答用紙３３表面の所定領域４０の映像を高速度で解析し、映像中のパターンデータを抽出する。この抽出されたパターンデータは、解答内容を示すデータとして第２の筆記装置３２のメモリ部に記憶される。
【０１２５】
更に、試験が終了すると、図４に示すように、解答用紙３３に設けられた送信チェック領域４２内に第２の筆記装置３２ａの先端部を接触させ、第２のカメラ部３２ｂによってその領域４２内の映像が撮影されると、第２のパターンデータ制御部３２ｃによって、領域４２内のユニークパターンが抽出され、それが送信チェック領域のユニークパターンであると判定されると、メモリ部に蓄積された解答内容を示すパターンデータ及び第２の筆記装置固有のＩＤである筆記装置固有ＩＤを第３の近距離無線通信部２２ｄによって、携帯電話３０に伝送する（図１の〔５〕参照）。
【０１２６】
携帯電話３０は、第４の近距離無線通信部３０ｂによって解答内容を示すパターンデータ及び筆記装置固有ＩＤを受信すると、それらのデータ及び携帯電話固有のＩＤである携帯電話固有ＩＤを、携帯電話機能部３０ａの機能によりインターネット４を介して試験提供者側設備２に伝送する（図１の〔６〕参照）。
試験提供者側設備２は、端末装置２０のデータ送受信部２０ａによって、解答内容を示すパターンデータ、筆記装置固有ＩＤ及び携帯電話固有ＩＤを受信すると、まず、認証部２０ｃに筆記装置固有ＩＤ及び携帯電話固有ＩＤを伝送し、それらのＩＤが、試験提供者側に予め登録されたシステム利用者のものであるか否かを判定する。これにより、システム利用者が登録された正規の利用者であると判定されると、更に、受信した解答内容を示すパターンデータをデータ制御部２０ｂによって解析し、システム利用者の筆跡データを抽出する。そして、認証部２０ｃによって、その筆跡データを、予め試験提供者側に登録してあるシステム利用者の筆跡鑑定用データと比較し、システム利用者本人の筆跡と一致するか否かを判定する。この筆跡鑑定結果が利用者のものと一致すると、データ制御部２０ｂは、解答内容を示すパターンデータを解析して解答内容を生成し、これをプリンタ用のデータに変換して、第１の近距離無線通信部２０ｄによって第１のプリンタ装置２１に伝送する（図１の〔７〕参照）。
【０１２７】
第１のプリンタ装置２１は、第２の近距離無線通信部２１ｂによって、プリンタ用の解答内容データを受信すると、このデータに基づき第１のプリント部２１ａによって、採点用紙２３に解答内容をプリントする（図１の〔８〕参照）。このとき、採点用紙２３と解答用紙３３は、上記したように、用紙表面の絶対位置を示すユニークパターンが互いに同じ絶対位置に対して対応付けがなされているので、採点用紙２３における、解答用紙３３に記入された解答位置と同じ位置に解答内容がプリントされることになる。なお、採点用紙２３には、試験問題が試験開始と同時にプリントされるようになっており、このプリント位置も解答用紙３３と同じ位置にプリントされるようになっている。
【０１２８】
このようにして、採点用紙２３に解答内容がプリントされると、試験提供者側は、第１の筆記装置２２を用いて、解答内容に対する採点を行う。採点は、筆記装置２２によって、採点用紙２３に直接採点内容を書き込むことによって行われる。つまり、採点内容が書き込まれると、第１の筆記部２２ａは、その筆圧を検知し、この筆圧の検知に応じて第１のカメラ部２２ｂが第１の筆記装置２２先端部近傍の用紙表面の映像の撮影を行う。撮影された映像は、第１のパターンデータ制御部２２ｃによって解析され、映像中のユニークパターンが抽出される。そして、抽出されたパターンは採点内容を示すデータとしてメモリ部に記憶される。更に、採点が終了すると、採点用紙２３に設けられた送信チェック領域内に第１の筆記装置２２ａの先端部を接触させ、第１のカメラ部２２ｂによってその領域内のユニークパターンを撮影すると、第１のパターンデータ制御部２２ｃによって、ユニークパターンが抽出され、送信チェック領域のユニークパターンであると判定されると、メモリ部に記憶された採点内容を示すパターンデータを第３の近距離無線通信部２２ｄによって、端末装置２０に伝送する（図１の〔９〕参照）。なお、第１の筆記装置２２の動作原理は、第２の筆記装置３２と同様のものであり、また、採点用紙２２にも解答用紙３３と同様に送信チェック用の領域が設けられているので、カメラによる撮影やユニークパターンの抽出、メモリ部の記憶内容の送信等の処理は同様の原理を用いて行われる。
【０１２９】
そして、端末装置２０は採点内容を示すパターンデータを受信すると、そのデータを解析し、採点内容を生成すると共に、その採点内容をプリンタ用のデータに変換し、データ送受信部２０ａによってシステム利用者側設備３にインターネット４を介して伝送する（図１の〔１０〕参照）。
システム利用者側設備３は、携帯電話３０の携帯電話機能部３０ａによって、プリンタ用の採点内容データを受信すると、このデータを、第４の近距離無線通信部３０ｂによって第２のプリンタ装置３１に伝送する（図１の〔１１〕参照）。
【０１３０】
第２のプリンタ装置３１は、第２の近距離無線通信部２１ｂによって、プリンタ用採点内容データを受信すると、このデータに基づき、第２のプリント部３１ａによって、解答用紙３３における、採点用紙２３に書き込まれた採点内容と同じ位置に採点内容をプリントする（図１の〔１２〕参照）。これにより、解答用紙３３には、試験問題、解答内容及び採点内容の３つの内容が全て記載されることになり、オンライン試験システム１による試験が終了する。ここで、本実施の形態において、採点内容には、添削内容も含まれており、システム利用者は、解けなかった問題の解き方などを知ることが可能となっている。
【０１３１】
また、本システムにおいては、採点用紙２３及び解答用紙３３に、インクによって実際に文字や図形等を書き込むので、解答用紙３３をシステム利用者から回収することによって、電子データだけでなく、試験に関する書類が残るようになっている。従って、不正が生じたときには、その書類を証拠として用いることが可能であり、逆に、書類の提出が無い場合は、試験対象者から除外するなどの措置を行うことも可能である。
【０１３２】
また、試験提供者側における、試験の採点を行う採点者は、システム利用者側設備３の備える携帯電話３０と、これ以外に、解答内容等をプリントするプリンタ装置２１と、採点内容を書き込む第１の筆記装置２２と、採点用紙２３と、を有していれば、自宅等の好きな場所で採点を行うことが可能である。つまり、携帯電話３０に限らず、端末装置２０に採点内容等のデータを、インターネット等の通信回線を介して伝送可能な端末であれば何を用いても良い。
【０１３３】
また、上記採点用紙２３、解答用紙３３、第１の筆記装置２２及び第２の筆記装置３２の各構成内容及び各技術内容は、http://www.anoto.com/、http://www.idg.co.jp/report/technology/backnumber/200103/tec20010314_01.htmlのＵＲＬ（Uniform Resource Locator）にそれぞれ公開されている。
次に、図５に基づき、試験提供者側設備２の端末装置２０の動作の流れを説明する。図５は、端末装置２０の動作処理を示すフローチャートである。
【０１３４】
図５に示すように、まずステップＳ５００に移行し、データ送受信部２０ａによって、プリンタ用の試験問題データをインターネット４を介して、システム利用者側設備３に伝送しステップＳ５０２に移行する。
ステップＳ５０２に移行すると、データ送受信部２０ａが、システム利用者側設備３から、試験問題に対する解答を示すパターンデータを受信したか否かを、データ制御部２０ｂによって判定し、受信したと判定された場合(Yes)はステップＳ５０４に移行し、そうでない場合(No)は受信するまで待機する。ここで、システム利用者側設備３からは、解答内容を示すパターンデータに加え、上記した携帯電話固有ＩＤ及び筆記装置固有ＩＤも伝送されるので、これらの受信可否も判定するようになっている。
【０１３５】
ステップＳ５０４に移行した場合は、データ制御部２０ｂは、受信した携帯電話固有ＩＤ及び筆記装置固有ＩＤを認証部２０ｃに伝送し、認証部２０ｃにおいて、取得したＩＤが、予め登録されたシステム利用者のものと一致するか否かを判定する処理を行い、ＩＤが正規のものであったと判定された場合は、更に、データ制御部２０ｂにおいてパターンデータを解析することで得られるシステム利用者の筆跡情報と、予め登録されたシステム利用者の筆跡鑑定用データとを比較して、筆跡が一致するか否かを判定する処理を行いステップＳ５０６に移行する。なお、上記ＩＤの判定の時点で、登録されていないＩＤであると判定された場合は、筆跡鑑定を行わずにステップ５０６に移行する。
【０１３６】
ステップＳ５０６に移行すると、認証部２０ｃにおいて、各ＩＤ及び筆跡情報の認証処理によってシステム利用者が不正な利用者であると判定された場合（Yes)はステップＳ５０８に移行し、そうでない場合(No)はステップＳ５１０に移行する。
ステップＳ５０８に移行した場合は、試験を受けたシステム利用者を不正と判断し、その解答を無効にして処理を終了する。
【０１３７】
一方、ステップＳ５１０に移行した場合は、正規のシステム利用者であると判断し、データ制御部２０ｂにおいて、正規のシステム利用者から伝送された解答内容を示すパターンデータから生成されプリンタ用のデータに変換された解答内容データを、第１の近距離無線通信部２０ｄによって第１のプリンタ装置２１に伝送してステップＳ５１２に移行する。
【０１３８】
ステップＳ５１２に移行すると、データ制御部２０ｂにおいて、第１の近距離無線通信部２０ｄによって採点内容を示すパターンデータが受信されたか否かを判定し、受信されたと判定した場合(Yes)はステップＳ５１４に移行し、そうでない場合(No)は、受信するまで待機する。
ステップＳ５１４に移行した場合は、データ制御部２０ｂにおいて、採点内容を示すパターンデータを解析し、採点内容データを生成すると共に、そのデータをプリンタ用のデータに変換して、データ送受信部２０ａによってシステム利用者側設備３にインターネット４を介して伝送して処理を終了する。
【０１３９】
更に、図６に基づき、試験提供者側設備２の第１の筆記装置２２の動作の流れを説明する。図６は、第１の筆記装置２２の動作処理を示すフローチャートである。
図６に示すように、まずステップＳ６００に移行し、第１の筆記部２２ａにおいて、筆圧が検知されたか否かを判定し、筆圧が検知されたと判定された場合(Yes)はステップＳ６０２に移行し、そうでない場合(No)は検知するまで待機する。ここで、本実施の形態において、筆圧の検知は、ペン先端部が押されることによって、通常はＯＦＦ状態であるスイッチがＯＮ状態になったことで検知する仕組みとなっている。
【０１４０】
ステップＳ６０２に移行した場合は、スイッチがＯＮ状態になったことに応じて、第１のカメラ部２２ｂによって、採点用紙２３表面のペン先近傍の所定領域の撮影を行いステップＳ６０４に移行する。なお、撮影は、スイッチがＯＮ状態の間、継続した行われ、撮影された映像は、第１のパターンデータ制御部２２ｃにおいて解析することによって映像中のユニークパターンが抽出され、そのパターンデータを採点内容を示すデータとしてメモリ部に記憶する。
【０１４１】
ステップＳ６０４では、採点用紙２３表面にある送信チェック領域内が、第１の筆記装置２２によってチェックされたか否かを判定し、チェックされたと判定された場合(Yes)はステップＳ６０８に移行し、そうでない場合(No)はステップＳ６００に移行する。
ステップＳ６０８に移行した場合は、第３の近距離無線通信部２２ｄによって、メモリ部に記憶されたパターンデータを端末装置２０に伝送し、更に、メモリ部に記憶されたデータを消去して処理を終了する。
【０１４２】
本システムにおいて、採点内容の送信は、システム利用者１人に対して原則１回とするため、ステップＳ６０８で、メモリ部のデータを送信した時点でメモリをクリアすると共に、処理の終了としている。従って、この直後の筆圧の検知は、新たなシステム利用者に対するものとして扱われる。
更に、図７に基づき、試験提供者側設備２の第１のプリンタ装置２１の動作の流れを説明する。図７は、第１のプリンタ装置２１の動作処理を示すフローチャートである。
【０１４３】
図７に示すように、まずステップＳ７００に移行し、第２の近距離無線通信部２１ｂにおいて、プリンタ用の解答内容データを受信したか否かを判定し、受信したと判定された場合(Yes)はステップＳ７０２に移行し、そうでない場合(No)は、受信するまで待機する。
ステップＳ７０２に移行した場合は、第１のプリント部２１ａによって、受信した解答内容データに基づき、解答内容を採点用紙２３の指定位置にプリントして処理を終了する。
【０１４４】
更に、図８に基づき、オンライン試験システム１における、システム利用者側設備３の携帯電話３０の動作の流れを説明する。図８は、携帯電話３０の動作処理を示すフローチャートである。
図８に示すように、まず、ステップＳ８００に移行し、携帯電話機能部３０ａによって、試験提供者側設備２からプリンタ用の試験問題データを受信したか否かを判定し、受信したと判定された場合(Yes)はステップＳ８０２に移行し、そうでない場合(No)は、受信するまで待機する。
【０１４５】
ステップＳ８０２に移行した場合は、第４の近距離無線通信部３０ｂによって、プリンタ用の試験問題データを第２のプリンタ装置３１に伝送してステップＳ８０４に移行する。
ステップＳ８０４に移行すると、第２の筆記装置３２から解答内容を示すパターンデータ及び筆記装置固有ＩＤを、第４の近距離無線通信部３０ｂによって受信したか否かを判定し、受信したと判定された場合(Yes)はステップＳ８０６に移行し、そうでない場合(No)は受信するまで待機する。
【０１４６】
ステップＳ８０６に移行した場合は、携帯電話機能部３０ａによって、解答内容を示すパターンデータ、筆記装置固有ＩＤ及び携帯電話固有ＩＤを、試験提供者側設備２に伝送してステップＳ８０８に移行する。
ステップＳ８０８に移行すると、携帯電話機能部３０ａによって、試験提供者側設備２から採点内容のプリンタ用データを受信したか否かを判定し、受信したと判定された場合(Yes)はステップＳ８１０に移行し、そうでない場合(No)は受信するまで待機する。
【０１４７】
ステップＳ８１０に移行すると、第４の近距離無線通信部３０ｂによって、プリンタ用の採点内容データを第２のプリンタ装置３１に伝送して処理を終了する。
更に、図９に基づき、システム利用者側設備３の第２の筆記装置３２の動作の流れを説明する。図９は、第２の筆記装置３２の動作処理を示すフローチャートである。
【０１４８】
図９に示すように、まずステップＳ９００に移行し、第２の筆記部３２ａにおいて、筆圧が検知されたか否かを判定し、筆圧が検知されたと判定された場合(Yes)はステップＳ９０２に移行し、そうでない場合(No)は検知するまで待機する。なお、筆圧の検知は、第１の筆記装置２２と同様の原理によって行われる。
ステップＳ９０２に移行した場合は、スイッチがＯＮ状態になったことに応じて、第２のカメラ部３２ｂによって、解答用紙３３表面のペン先近傍の所定領域の撮影を行いステップＳ９０４に移行する。なお、撮影は、スイッチがＯＮ状態の間、継続した行われ、撮影された映像は、第１のパターンデータ制御部３２ｃにおいて解析することによって映像中のユニークパターンが抽出され、そのパターンデータを解答内容を示すデータとしてメモリ部に記憶する。
【０１４９】
ステップＳ９０４では、解答用紙３３の表面にある送信チェック領域内が、第２の筆記装置３２によってチェックされたか否かを判定し、チェックされたと判定された場合(Yes)はステップＳ９０８に移行し、そうでない場合(No)はステップＳ９００に移行する。
ステップＳ９０８に移行した場合は、第３の近距離無線通信部２２ｄによって、メモリ部に記憶されたパターンデータを携帯電話３０に伝送し、更に、メモリ部に記憶されたデータを消去して処理を終了する。
【０１５０】
本システムにおいて、採点内容と同様に、解答内容の送信は、システム利用者１人に対して原則１回とするため、ステップＳ９０８で、メモリ部のデータを送信した時点でメモリをクリアすると共に、処理の終了としている。従って、この直後の筆圧の検知は、新たな試験に対するものとして扱われる。
更に、図１０に基づき、システム利用者側設備３の第２のプリンタ装置３１の動作の流れを説明する。図１０は、第２のプリンタ装置３１の動作処理を示すフローチャートである。
【０１５１】
図１０に示すように、まず、ステップＳ１０００に移行し、第２の近距離無線通信部２１ｂにおいて、プリンタ用の試験問題データ、又は、プリンタ用の採点内容データを受信したか否かを判定し、受信したと判定された場合(Yes)はステップＳ１００２に移行し、そうでない場合(No)は、受信するまで待機する。
ステップＳ１００２に移行した場合は、第２のプリント部３１ａによって、受信した、プリンタ用の試験問題データ、又は、プリンタ用の採点内容データに基づき、試験問題、又は、採点内容を解答用紙３３の指定位置にプリントして処理を終了する。
【０１５２】
以上、上記オンライン試験システム１においては、試験提供者側設備２においては、用紙表面の絶対位置を示すユニークパターンを有する採点用紙２３に、第１の筆記装置２２によって採点内容を直接手書きで書き込むことによって、手書き情報を残すと共に、第１の筆記装置２２の備える第１のカメラ部２２ｂ及び第１のパターンデータ制御部２２ｃによって採点内容及びその書き込み位置の情報を電子データとして取得することが可能となっており、一方、システム利用者側設備３においては、用紙表面の絶対位置を示すユニークパターンを有する解答用紙３３に、第２の筆記装置３２によって採点内容を直接手書きで書き込むことによって、手書き情報を残すと共に、第２の筆記装置３２の備える第２のカメラ部３２ｂ及び第２のパターンデータ制御部３２ｃによって解答内容及びその書き込み位置の情報を電子データとして取得することが可能となっているので、試験問題を解答するシステム利用者及び解答内容を採点する試験提供者は、それぞれの用紙に各内容を筆記装置によって書き込むだけで、その内容が電子データ化されるので、簡易にインターネット４を介して、両者のデータを相互に伝送することが可能となる。
【０１５３】
また、システム利用者側設備３から伝送される解答内容を示すデータには、システム利用者側の設備である携帯電話３０と第２の筆記装置３２のそれぞれの固有ＩＤを含むようにし、試験提供者側設備２では、認証部２０ｃにおいて、それらの固有ＩＤから、システム利用者を認証することが可能となっているので、不正受験を防ぐのに役立つ。
【０１５４】
また、システム利用者側設備３から伝送される解答内容を示すデータには、その解答内容を書き込んだシステム利用者の筆跡情報が含まれるので、試験提供者側設備２では、認証部２０ｃにおいて、筆跡情報に基づいて筆跡鑑定を行うことによって、システム利用者本人が解答を行ったか否かを判定することが可能となっているので、不正受験を防ぐのに役立つ。
【０１５５】
また、解答用紙３３には、実際にシステム利用者によって解答内容が書き込まれているので、これを、試験提供者側が回収することによって、後の証拠書類として取り扱うことが可能となる。
また、試験提供者側は、システム利用者に、携帯電話３０と、第２のプリンタ装置３１と、第２の筆記装置３２と、を貸し出すようになっているので、携帯電話や、プリンタ装置を所有していないシステム利用者であっても、手軽にシステムを利用することが可能である。
【０１５６】
また、試験提供者側における、試験の採点を行う採点者は、システム利用者側設備３の備える携帯電話３０のように、インターネットなどの通信回線を介して採点内容データ等を端末装置２０に伝送可能な機器と、解答内容等をプリントするプリンタ装置２１と、採点内容を書き込む第１の筆記装置２２と、採点用紙２３と、を有していれば、自宅等の好きな場所で採点を行うことが可能である。
【０１５７】
なお、上記オンライン試験システム１は、試験提供者側もユニークパターンを有する採点用紙２３を用いて手書きで採点を行っているが、別の態様として、第１の筆記装置２２に代えて、デジタイザを用意し、システム利用者側から受信した試験問題に対する解答内容は、採点用紙２３に代えて、図示しない表示部に表示し、採点者は、表示部に表示された解答内容を見ながら、デジタイザによって端末装置２０に採点内容を入力するようにしても良い。つまり、この態様では、採点内容の書類がなくなることになり、採点内容の電子データのみが管理されることになる。従って、採点用紙を必要としないので、採点者に採点用紙を郵送したりする手間が省け、更に、経費の削減も可能となる。
【０１５８】
ここで、図２に示す、データ送受信部２０ａによる試験問題データの伝送処理は、請求項１、７、２４、２７及び３０記載の試験問題情報伝送手段に対応し、データ送受信部２０ａによる解答内容データの受信処理は、請求項７、２７及び３０記載の解答情報受信手段に対応し、第１のプリント部２１ａによる解答内容のプリント処理は、請求項１、７、２４、２７及び３７記載の解答内容プリント手段に対応し、第１のカメラ部２２ａ及び第１のパターンデータ制御部２２ｃによる採点内容を示すデータの取得処理は、請求項１〜３、７〜９、２４、２７、３５及び３６記載の採点情報取得手段に対応し、第１の筆記装置２２における第１の筆記部２２ａは、請求項１、２、７、２４、２７、３５、４７及び５２記載の採点内容書き込み手段に対応し、インターネット４は、請求項１、７、２４、２６、２７、２９、３０、３９、４０、４７、４９、５０及び５３記載の通信回線に対応し、データ送受信部２０ａによる採点内容データの伝送処理は、請求項１、７、２４、２７及び３０記載の採点情報伝送手段に対応し、第２のプリンタ装置３１による試験問題のプリント処理は、請求項１、７、２６、２９及び４５記載の試験問題プリント手段に対応し、第２の筆記装置における第２の筆記部３２ａは、請求項１、２、７、２６、２９、４２、４９及び５４記載の解答内容書き込み手段に対応し、第２のカメラ部３２ａ及び第２のパターンデータ制御部３２ｃによる解答内容を示すデータの取得処理は、請求項１〜３、７〜９、２６、２９、４２及び４４記載の解答情報取得手段に対応し、携帯電話３０における携帯電話機能３０ａによる解答内容データの伝送処理は、請求項１、７、２６、２９、３９及び４０記載の解答情報伝送手段に対応し、第２のプリンタ装置３１における第２のプリント部３１ａによる採点内容のプリント処理は、請求項１、７、２６、２９及び４５記載の採点内容プリント手段に対応し、第１の筆記装置２２における第１のカメラ部２２ｂは、請求項３、９及び３６記載の採点情報取得手段の備えるカメラ部に対応し、第２の筆記装置３２における第２のカメラ部３２ｂは、請求項３、９及び４４記載の解答情報取得手段の備えるカメラ部に対応し、端末装置２０における認証部２０ｃは、請求項４〜６、１１〜１３、２５及び３４記載のシステム利用者認証手段と、請求項１０、２８及び３１〜３３記載のシステム利用者認証部に対応し、端末装置２０は、請求項７、１０、１２、２７、２８、３０〜３５及び５０〜５２記載の第１の端末装置に対応し、携帯電話３０は、請求項７、１３、１４、１７、２９、３２、３９〜４２、５３及び５４記載の第２の端末装置に対応し、端末装置２０の備える第１の近距離無線通信部２０ｄは、請求項７、２７及び３０記載の第１の伝送手段に対応し、第１のプリンタ装置２１の備える第２の近距離無線通信部２１ｄは、請求項７、２７及び３７記載の第１の情報受信手段に対応し、第１の筆記装置２２の備える第３の近距離無線通信部２２ｄは、請求項７、２７及び３５記載の第１の情報伝送手段に対応し、携帯電話３０の備える第４の近距離無線通信部３０ｂは、請求項７、１４、１６、２９、３９及び４０記載の第２の伝送手段に対応し、第２のプリンタ装置３１の備える第２の近距離無線通信部２１ｂは、請求項７、２９及び４５記載の第２の情報受信手段に対応し、第２の筆記装置３２の備える第３の近距離無線通信部２２ｄは、請求項７、２９及び４２記載の第２の情報伝送手段に対応している。
【０１５９】
なお、上記実施の形態においては、第１の筆記装置２２において、第１のカメラ部２２ｂ及び第１のパターンデータ制御部２２ｃによって、用紙に書き込まれた情報及び位置情報を光学的に取得するようになっているが、これに限らず、加速度センサ等でペン先の動きを検出したり、デジタイザ上に用紙を乗せて書き込むなど、別の方法を用いて書き込み情報及び位置情報を取得するようにしても良い。これは、第２の筆記装置３２に対しても同様である。
【０１６０】
また、上記実施の形態においては、端末装置２０と第１のプリンタ装置、端末装置２０と第１の筆記装置の間のデータの送受信において近距離の無線通信を利用しているがこれに限らず、中距離や遠距離の無線通信、又は、有線通信などどのような通信方法を用いても良い。これは、携帯電話３０と、第２のプリンタ装置３１、携帯電話３０と第２の筆記装置３２との間のデータ通信に関しても同様である。
【０１６１】
また、上記実施の形態においては、認証部２０ｃにおいて、携帯電話固有ＩＤ、筆記装置固有ＩＤ及び筆跡鑑定によってシステム利用者を認証するようにしているが、解答用紙表面のユニークパターンは、用紙毎にユニークとなるようにしているので、ユニークな用紙とシステム利用者とを一対一に対応付け、この用紙のユニーク情報によってシステム利用者を認証するようにしても良い。
【０１６２】
請求項の記載に関し、本発明は更に以下の態様を採り得る。
（１）通信回線を介して試験提供者がシステム利用者に所定の試験を実施するオンライン試験方法であって、
システム利用者側に前記通信回線を介して所定の試験問題を示す情報を伝送する試験問題情報伝送ステップと、前記システム利用者側から伝送された前記所定の試験問題に対する解答内容を示す情報に基づき前記解答内容を採点用紙にプリントする解答内容プリントステップと、前記採点用紙に書き込まれた前記採点内容を示す情報を取得する採点情報取得ステップと、取得した前記採点内容を示す情報を前記システム利用者側に前記通信回線を介して伝送する採点情報伝送ステップと、を前記試験提供者側に備え、
前記試験提供者側から伝送された前記所定の試験問題を示す情報に基づき前記所定の試験問題を解答用紙にプリントする試験問題プリントステップと、解答用紙に書き込まれた前記解答内容を示す情報を取得する解答情報取得ステップと、取得した前記解答内容を示す情報を前記通信回線を介して前記試験提供者側設備に伝送する解答情報伝送ステップと、前記試験提供者側から伝送された前記採点内容を示す情報に基づき前記解答用紙に採点内容をプリントする採点内容プリントステップと、を前記システム利用者側に備えることを特徴とするオンライン試験方法。
【０１６３】
（２）前記採点用紙及び前記解答用紙は、それぞれの用紙表面に当該用紙表面の絶対位置を示すユニークパターンが設けられていることを特徴とする（１）のオンライン試験方法。
（３）前記採点情報取得ステップにおいては、前記採点内容を示す情報をカメラによって光学的に読みとり、
前記解答情報取得ステップにおいては、前記解答内容を示す情報をカメラによって光学的に読みとることを特徴とする（１）又は（２）のオンライン試験方法。
【０１６４】
（４）通信回線を介して試験提供者がシステム利用者に所定の試験を実施するオンライン試験方法であって、
システム利用者側に前記通信回線を介して所定の試験問題を示す情報を伝送する試験問題情報伝送ステップと、前記システム利用者側から伝送された前記所定の試験問題に対する解答内容を示す情報に基づき当該解答内容を表示部に表示する解答内容ステップと、前記解答内容に対する採点内容を所定の端末装置に入力する採点内容入力ステップと、前記入力された採点内容を前記表示部に表示する採点内容表示ステップと、前記入力された前記採点内容を示す情報を前記システム利用者側に前記通信回線を介して伝送する採点情報伝送ステップと、を前記試験提供者側に備え、
前記試験提供者側から前記通信回線を介して伝送された前記所定の試験問題を示す情報に基づき当該所定の試験問題を解答用紙にプリントする試験問題プリントステップと、前記解答内容を前記解答用紙に書き込む解答内容書き込みステップと、前記解答用紙に書き込まれた前記解答内容を示す情報を取得する解答情報取得ステップと、取得した前記解答内容を示す情報を前記通信回線を介して前記試験提供者側に伝送する解答情報伝送ステップと、前記試験提供者側から前記通信回線を介して伝送された前記採点内容を示す情報に基づき前記解答用紙に採点内容をプリントする採点内容プリントステップと、を前記システム利用者側に備えることを特徴とするオンライン試験方法。
【０１６５】
（５）前記システム利用者を認証するシステム利用者認証ステップを、更に備えることを特徴とする（１）又は（４）のオンライン試験方法。
（６）前記システム利用者側は、当該システム利用者に対応付けられた固有情報を備えており、前記システム利用者認証ステップにおいては、前記固有情報に基づき前記システム利用者を認証することを特徴とする（５）のオンライン試験方法。
【０１６６】
（７）前記解答内容を示す情報には前記システム利用者の筆跡情報が含まれていると共に、前記試験提供者側は、前記システム利用者の筆跡特徴を示す筆跡鑑定用データを有しており、
前記システム利用者認証ステップにおいては、前記筆跡情報及び前記筆跡鑑定用データに基づき前記システム利用者の筆跡鑑定を行い、その鑑定結果に基づき前記システム利用者を認証することを特徴とする請求項（５）又は（６）のオンライン試験方法。
【０１６７】
【発明の効果】
以上説明したように、本発明によれば、通信回線を介して試験提供者側はシステム利用者側に試験を実施するので、試験地が遠方な人や、体が不自由な人が手軽に試験を受けることが可能となり便利である。また、試験の解答内容や採点内容は電子データ化されるので、試験結果の集計作業などに役立つ。更に、採点内容や解答内容は、上記各用紙に直接書き込むので、その用紙は書類として残ることになり、後の証拠書類などに利用可能である。また、採点用紙及び解答用紙には、用紙表面の絶対位置を示すユニークパターンを設けるようにしたので、そのパターンにより、採点用紙に書き込まれた採点内容の正確な書き込み位置及び解答用紙に書き込まれた解答内容の正確な書き込み位置を、それぞれ取得することが可能となるので、これらの位置情報によって、各用紙の対応する位置にそれぞれの書き込み内容をプリントすることが可能となる。また、試験提供者側に試験を受けるシステム利用者を認証するシステム利用者認証手段を設けたので、試験を受けるシステム利用者を認証することが可能となり、試験におけるシステム利用者の不正防止及び不正の発見に役立つ。また、試験の採点を行う採点者も自宅等の好きな場所で採点を行うことが可能である。
【図面の簡単な説明】
【図１】本発明に係るオンライン試験システムの概略構成を示すブロック図である。
【図２】本発明に係るオンライン試験システムの詳細な構成を示すブロック図である。
【図３】第２の筆記装置の外観及び内部構成を示す図である。
【図４】解答用紙３３表面におけるユニークパターンの構成例を示す図である。
【図５】端末装置２０の動作処理を示すフローチャートである。
【図６】第１の筆記装置２２の動作処理を示すフローチャートである。
【図７】第１のプリンタ装置２１の動作処理を示すフローチャートである。
【図８】携帯電話３０の動作処理を示すフローチャートである。
【図９】第２の筆記装置３２の動作処理を示すフローチャートである。
【図１０】第２のプリンタ装置３１の動作処理を示すフローチャートである。
【符号の説明】
１                オンライン試験システム
２                試験提供者側設備
３                システム利用者側設備
４                インターネット
２０              端末装置
２１              第１のプリンタ装置
２２              第１の筆記装置
２３              採点用紙
３０              携帯電話
３１              第２のプリンタ装置
３２              第２の筆記装置
３３              解答用紙
４０              所定領域
４１              ドット
４２              送信チェック領域
【図１】
0003736753.tif 000002
【図２】
0003736753.tif 000003
【図３】
0003736753.tif 000004
【図４】
0003736753.tif 000005
【図５】
0003736753.tif 000006
【図６】
0003736753.tif 000007
【図７】
0003736753.tif 000008
【図８】
0003736753.tif 000009
【図９】
0003736753.tif 000010
【図１０】
0003736753.tif 000011